(57)【要約】  本発明の実施形態は、データ端末と、データ送信システムと、ホットスワップ制御方法とを開示する。データ端末は、第1のプロセッサと、第1のデジタル音声回路と、インターフェースアイソレータと、第1のUSB回路と、第1の接続装置とを含み、第1の接続装置は、第1のデジタル音声接続装置と第1のUSB接続装置とを含む。第1のプロセッサは第1のデジタル音声回路に接続され、第1のプロセッサは第1のUSB回路にさらに接続され、第1のデジタル音声回路はインターフェースアイソレータに接続され、インターフェースアイソレータは第1のデジタル音声接続装置に接続され、第1のUSB回路は第1のUSB接続装置に接続され、インターフェースアイソレータの状態が、第1のUSB回路のホットスワップ機能を使用することによって制御されて、音声データ送信が、第1のプロセッサとコンピュータとの間で、第1のデジタル音声回路と第1のデジタル音声接続装置とを使用することによって実行されるようにし、第1のデジタル音声回路がデータ端末に適用されたとき、第1のデジタル音声回路がホットスワップ機能を有するようにする。
2016509712.tif 000002
【特許請求の範囲】
【請求項１】
データ端末であって、
第1のプロセッサと、第1のデジタル音声回路と、インターフェースアイソレータと、第1のユニバーサルシリアルバスUSB回路と、第1の接続装置とを備え、前記第1の接続装置が、第1のデジタル音声接続装置と第1のUSB接続装置とを備え、前記第1のUSB回路がホットスワップ機能を有し、
前記第1のプロセッサが前記第1のデジタル音声回路に接続され、前記第1のプロセッサが前記第1のUSB回路にさらに接続され、前記第1のデジタル音声回路が前記インターフェースアイソレータに接続され、前記インターフェースアイソレータが前記第1のデジタル音声接続装置に接続され、前記第1のUSB回路が前記第1のUSB接続装置に接続され、
前記データ端末が、コンピュータに、前記第1の接続装置を使用することによって接続された後、前記インターフェースアイソレータの初期状態が切断状態であり、前記第1のUSB回路が初期化プロセスに入り、前記第1のプロセッサが、前記第1のUSB回路の初期化が完了した後、前記コンピュータと、前記第1のUSB回路と前記第1のUSB接続装置とを使用することによって交渉し、前記第1のデジタル音声回路の第1の構成パラメータを決定し、前記第1のデジタル音声回路を前記第1の構成パラメータに従って構成するように構成され、
前記第1のデジタル音声回路に関する構成が完了した後、前記インターフェースアイソレータが接続コマンドを受信し、前記切断状態から接続状態に前記接続コマンドに従って切り替わって、前記第1のデジタル音声回路と前記第1のデジタル音声接続装置との間のチャネルが接続されるようにし、音声データ送信が、前記第1のプロセッサと前記コンピュータとの間で、前記第1のデジタル音声回路と前記第1のデジタル音声接続装置とを使用することによって実行されるようにする、データ端末。
【請求項２】
前記第1のデジタル音声接続装置および前記第1のUSB接続装置が、前記第1の接続装置において一体化されている、請求項1に記載のデータ端末。
【請求項３】
前記インターフェースアイソレータが接続コマンドを受信することが、具体的には、前記インターフェースアイソレータが、前記接続コマンドを前記第1のデジタル音声回路から受信すること、または前記インターフェースアイソレータが、前記接続コマンドを前記第1のプロセッサから受信することである、請求項1または2に記載のデータ端末。
【請求項４】
前記第1のデジタル音声回路が、パルス符号変調PCM回路または音声統合インターフェースIIS回路である、請求項1から3のいずれか一項に記載のデータ端末。
【請求項５】
前記データ端末が電源管理回路をさらに備え、前記電源管理回路が、前記第1のプロセッサと、前記第1のデジタル音声回路と、前記第1のUSB回路と、前記インターフェースアイソレータとに接続され、前記電源管理回路が、電気エネルギーを前記第1のプロセッサと、前記第1のデジタル音声回路と、前記第1のUSB回路と、前記インターフェースアイソレータとのために提供するように構成され、前記電源管理回路が、前記第1の接続装置の前記第1のUSB接続装置にさらに接続されて、前記電源管理回路が、電気エネルギーを前記コンピュータから、前記第1の接続装置が前記コンピュータに接続された後に取得するようにする、請求項1から4のいずれか一項に記載のデータ端末。
【請求項６】
前記データ端末が、高周波信号をワイヤレスネットワークに送信し、高周波信号をワイヤレスネットワークから受信するように構成された高周波回路をさらに備え、前記高周波回路が前記第1のプロセッサに接続され、前記高周波回路が前記電源管理回路にさらに接続されている、請求項1から5のいずれか一項に記載のデータ端末。
【請求項７】
前記第1のプロセッサが、前記インターフェースアイソレータが前記切断状態から前記接続状態に切り替わった後、前記第1のデジタル音声接続装置と前記第1のデジタル音声回路とを使用することによって、前記コンピュータによって送信された音声データを受信し、前記音声データを処理してベースバンド信号を取得し、前記ベースバンド信号を前記高周波回路に送信するようにさらに構成され、前記高周波回路が、前記ベースバンド信号を高周波信号に変調し、前記高周波信号を前記ワイヤレスネットワークに送信するように構成され、前記第1のプロセッサが、前記第1のUSB接続装置と前記第1のUSB回路とを使用することによって、前記コンピュータによって送信されたサービスデータを受信し、前記サービスデータを処理してベースバンド信号を取得し、前記ベースバンド信号を前記高周波回路に送信するようにさらに構成され、前記高周波回路が、前記ベースバンド信号を高周波信号に変調し、前記高周波信号を前記ワイヤレスネットワークに送信するようにさらに構成され、
前記高周波回路が、前記ワイヤレスネットワークによって送信された高周波信号を受信し、前記高周波信号をベースバンド信号に変調し、前記ベースバンド信号を前記第1のプロセッサに送信するようにさらに構成され、前記第1のプロセッサが、前記ベースバンド信号を処理して音声データまたはサービスデータを取得し、前記音声データを前記コンピュータに、前記第1のデジタル音声回路と前記第1のデジタル音声接続装置とを使用することによって送信するように、または前記サービスデータを前記コンピュータに、前記第1のUSB回路と前記第1のUSB接続装置とを使用することによって送信するようにさらに構成され、
前記第1のプロセッサが、前記第1のUSB接続装置と前記第1のUSB回路とを使用することによって、前記コンピュータによって送信されたシステム制御コマンドを受信するようにさらに構成され、システム制御コマンドを前記コンピュータに、前記第1のUSB接続装置と前記第1のUSB回路とを使用することによって送信するように構成されている、請求項1から6のいずれか一項に記載のデータ端末。
【請求項８】
前記インターフェースアイソレータが、前記接続状態から前記切断状態に、前記データ端末が前記コンピュータから切断された後に切り替わる、請求項1から7のいずれか一項に記載のデータ端末。
【請求項９】
データ端末とコンピュータとを備え、
前記データ端末が、第1のプロセッサと、第1のデジタル音声回路と、インターフェースアイソレータと、ユニバーサルシリアルバスの第1のUSB回路と、第1の接続装置とを備え、前記第1の接続装置が、第1のデジタル音声接続装置と第1のUSB接続装置とを備え、前記第1のUSB回路がホットスワップ機能を有し、
前記第1のプロセッサが前記第1のデジタル音声回路に接続され、前記第1のプロセッサが前記第1のUSB回路にさらに接続され、前記第1のデジタル音声回路が前記インターフェースアイソレータに接続され、前記インターフェースアイソレータが前記第1のデジタル音声接続装置に接続され、前記第1のUSB回路が前記第1のUSB接続装置に接続され、
前記コンピュータが、第2のプロセッサと、第2のデジタル音声回路と、第2のUSB回路と、第2の接続装置とを備え、前記第2の接続装置が、第2のデジタル音声接続装置と第2のUSB接続装置とを備え、前記第2のUSB回路がホットスワップ機能を有し、
前記第2のプロセッサが前記第2のデジタル音声回路に接続され、前記第2のプロセッサが前記第2のUSB回路にさらに接続され、前記第2のデジタル音声回路が前記第2のデジタル音声接続装置に接続され、前記第2のUSB回路が前記第2のUSB接続装置に接続され、
前記第1の接続装置が前記第2の接続装置に接続するように構成されて、前記データ端末が前記コンピュータに接続されるようにし、前記第1のデジタル音声接続装置が前記第2のデジタル音声接続装置に接続するように構成され、前記第1のUSB接続装置が前記第2のデジタル音声接続装置に接続するように構成され、
前記データ端末が前記コンピュータの前記第2の接続装置に、前記第1の接続装置を使用することによって接続された後、前記インターフェースアイソレータの初期状態が切断状態であり、前記第1のUSB回路および前記第2のUSB回路が初期化プロセスに入り、前記第1のUSB回路と前記第2のUSB回路の初期化が完了した後、前記第1のプロセッサが、前記第2のプロセッサと、前記第1のUSB回路と前記第1のUSB接続装置と前記第2のUSB接続装置と前記第2のUSB回路とを使用することによって交渉し、前記第1のデジタル音声回路の第1の構成パラメータと前記第2のデジタル音声回路の第2の構成パラメータとを決定し、前記第1のプロセッサが、前記第1のデジタル音声回路を前記第1の構成パラメータに従って構成し、前記第2のプロセッサが、前記第2のデジタル音声回路を前記第2の構成パラメータに従って構成し、
前記第1のデジタル音声回路と前記第2のデジタル音声回路とに関する構成が完了した後、前記インターフェースアイソレータが接続コマンドを受信し、前記切断状態から接続状態に前記接続コマンドに従って切り替わって、前記第1のデジタル音声回路と、前記第1のデジタル音声接続装置と、前記第2のデジタル音声接続装置と、前記第2のデジタル音声回路との間のチャネルが接続されるようにし、音声データ送信が、前記第1のプロセッサと前記第2のプロセッサとの間で、前記第1のデジタル音声回路と、前記第1のデジタル音声接続装置と、前記第2のデジタル音声接続装置と、前記第2のデジタル音声回路とを使用することによって実行されるようにする、データ送信システム。
【請求項１０】
前記第1の接続装置が前記第2の接続装置に交換可能な方法で接続され、
前記インターフェースアイソレータが前記接続状態から前記切断状態に、前記第1の接続装置と前記第2の接続装置との間の接続が切断された後に切り替わる、請求項9に記載のデータ送信システム。
【請求項１１】
前記第1のデジタル音声接続装置および前記第1のUSB接続装置が、前記第1の接続装置において一体化され、
前記第2のデジタル音声接続装置および前記第2のUSB接続装置が、前記第2の接続装置において一体化されている、請求項9または10に記載のデータ送信システム。
【請求項１２】
前記インターフェースアイソレータが接続コマンドを受信することが、具体的には、前記インターフェースアイソレータが、前記接続コマンドを前記第1のデジタル音声回路から受信すること、または前記インターフェースアイソレータが、前記接続コマンドを前記第1のプロセッサから受信することである、請求項9から11のいずれか一項に記載のデータ送信システム。
【請求項１３】
前記第1のデジタル音声回路が、パルス符号変調PCM回路または音声統合インターフェースIIS回路であり、前記第2のデジタル音声回路が、PCM回路またはIIS回路である、請求項9から12のいずれか一項に記載の送信システム。
【請求項１４】
前記データ端末が電源管理回路をさらに備え、前記コンピュータが電源回路をさらに備え、
前記電源管理回路が前記第1のプロセッサと、前記第1のデジタル音声回路と、前記インターフェースアイソレータと、前記第1のUSB回路とに接続され、
前記電源管理回路が前記第1のUSB接続装置にさらに接続され、前記電源回路が前記第2のUSB接続装置に接続されて、前記第1のUSB接続装置および前記第2の接続装置が接続された後、前記電源管理回路が、電気エネルギーを前記電源回路から取得し、電力を前記第1のプロセッサと、前記第1のデジタル音声回路と、前記インターフェースアイソレータと、前記第1のUSB回路とに供給するように構成されるようにする、請求項9から13のいずれか一項に記載のデータ送信システム。
【請求項１５】
前記データ端末が、高周波信号をワイヤレスネットワークに送信し、高周波信号をワイヤレスネットワークから受信するように構成された高周波回路をさらに備え、前記高周波回路が前記第1のプロセッサに接続され、前記高周波回路が前記電源管理回路に接続されている、請求項9から14のいずれか一項に記載のデータ送信システム。
【請求項１６】
前記第1のプロセッサが、前記インターフェースアイソレータが前記切断状態から前記接続状態に切り替わった後、前記第2のプロセッサによって送信された音声データを、前記第2のデジタル音声回路と、前記第2のデジタル音声接続装置と、前記第1のデジタル音声接続装置と、前記第1のデジタル音声回路とを使用することによって受信し、前記音声データを処理してベースバンド信号を取得し、前記ベースバンド信号を前記高周波回路に送信するようにさらに構成され、前記高周波回路が、前記ベースバンド信号を高周波信号に変調し、前記高周波信号を前記ワイヤレスネットワークに送信するように構成され、前記第1のプロセッサが、前記第2のプロセッサによって送信されたサービスデータを、前記第2のUSB接続装置と、前記第2のUSB回路と、前記第1のUSB接続装置と、前記第1のUSB回路とを使用することによって受信し、前記サービスデータを処理してベースバンド信号を取得し、前記ベースバンド信号を前記高周波回路に送信するようにさらに構成され、前記高周波回路が、前記ベースバンド信号を高周波信号に変調し、前記高周波信号を前記ワイヤレスネットワークに送信するようにさらに構成され、
前記高周波回路が、前記ワイヤレスネットワークによって送信された高周波信号を受信し、前記高周波信号をベースバンド信号に変調し、前記ベースバンド信号を前記第1のプロセッサに送信するようにさらに構成され、前記第1のプロセッサが、前記ベースバンド信号を処理して音声データまたはサービスデータを取得し、前記音声データを前記第
2のプロセッサに、前記第1のデジタル音声回路と、前記第1のデジタル音声接続装置と、前記第2のデジタル音声接続装置と、前記第2のデジタル音声回路とを使用することによって送信するように、または前記サービスデータを前記第2のプロセッサに、前記第1のUSB回路と、前記第1のUSB接続装置と、前記第2のUSB接続装置と、前記第2のUSB回路とを使用することによって送信するようにさらに構成され、
前記第1のプロセッサが、前記第2のプロセッサによって送信されたシステム制御コマンドを、前記第2のUSB接続装置と、前記第2のUSB回路と、前記第1のUSB接続装置と、前記第1のUSB回路とを使用することによって受信するようにさらに構成され、システム制御コマンドを前記第2のプロセッサに、前記第1のUSB回路と、前記第1のUSB接続装置と、前記第2のUSB接続装置と、前記第2のUSB回路とを使用することによって送信するように構成されている、請求項9から15のいずれか一項に記載のデータ送信システム。
【請求項１７】
データ端末に適用され、前記データ端末が第1のインターフェースを備え、前記第1のインターフェースが、第1のデジタル音声インターフェースと第1のUSBインターフェースとを備え、前記第1のUSBインターフェースがホットスワップ機能を有するホットスワップ制御方法であって、
前記データ端末がコンピュータに、前記第1のインターフェースを使用することによって接続された後、前記第1のUSBインターフェースを初期化するステップであって、前記第1のデジタル音声インターフェースと前記コンピュータとの間のチャネルの初期状態が切断状態である、初期化するステップと、
前記第1のUSBインターフェースの初期化が完了した後、前記データ端末によって、前記コンピュータと、前記第1のUSBインターフェースを使用することによって交渉し、前記第1のデジタル音声インターフェースの第1の構成パラメータを決定するステップと、
前記データ端末によって、前記第1のデジタル音声インターフェースを前記第1の構成パラメータに従って構成するステップと、
前記チャネルを、前記第1のデジタル音声インターフェースと前記コンピュータとの間で接続して、音声データ送信が、前記データ端末と前記コンピュータとの間で、前記第1のデジタル音声インターフェースを使用することによって実行されるようにするステップと、
を備える、ホットスワップ制御方法。
【請求項１８】
前記チャネルを前記第1のデジタル音声インターフェースと前記コンピュータとの間で前記接続するステップの後に、
前記データ端末によって、前記第1のデジタル音声インターフェースを使用することによって、前記コンピュータによって送信された音声データを受信するステップ、または前記第1のUSBインターフェースを使用することによって、前記コンピュータによって送信されたサービスデータを受信するステップと、
前記データ端末によって、前記音声データまたは前記サービスデータを処理して高周波信号を取得し、前記高周波信号をワイヤレスネットワークに送信するステップと、
をさらに備える、請求項17に記載の方法。
【請求項１９】
前記チャネルを前記第1のデジタル音声インターフェースと前記コンピュータとの間で前記接続するステップの後に、
前記データ端末によって、前記ワイヤレスネットワークによって送信された高周波信号を受信するステップと、
前記データ端末によって、前記高周波信号を処理して音声データまたはサービスデータを取得するステップと、
前記データ端末によって、前記音声データを前記コンピュータに前記第1の値の音声インターフェースを使用することによって送信するステップ、または前記意味データを前記コンピュータに前記第1のUSBインターフェースを使用することによって送信するステップと、
をさらに備える、請求項17または18に記載の方法。
【請求項２０】
前記データ端末によって、システム制御コマンドを前記第1のUSBインターフェースを使用することによって受信または送信するステップ、
をさらに備える、請求項17から19のいずれか一項に記載の方法。
【発明の詳細な説明】
【技術分野】
【０００１】
本発明は、通信技術の分野に関し、具体的には、データ端末と、データ送信システムと、ホットスワップ制御方法とに関する。
【背景技術】
【０００２】
現在、データサービスを実装するためのほとんどのデータ端末は、下位のコンピュータとして機能し、ユニバーサルシリアルバス(Univ-ersal Serial BUS、略してUSB)インターフェースまたはペリフェラルコンポーネントインターコネクトエクスプレス(Peripheral Component Interconnect Express、略してPCIE)インターフェースを使用して、ホストコンピュータと通信する。データ端末の重要な機能は、ホットスワップ(Hot pluggingまたはHot swapping)機能、つまり、「ライブスワップ」をサポートすることであり、それは、データ端末をコンピュータの動作中に差し込むこと、または取り外すことができるということを示し、それにより、コンピュータまたはデータ端末の回路のバーンアウトは引き起こされず、コンピュータがデータ端末をタイミングよく検出し、使用することが可能になる。
【０００３】
技術の発展と共に、いくつかのデータ端末は音声機能を実装し、音声データ交換が、データ端末とコンピュータとの間で、USBインターフェースまたはPCIEインターフェースを使用することによって実装されている。USBインターフェースは、一例として使用され、音声データ交換のプロセスは、データ端末がコンピュータのUSBインターフェースに適合する方法で、USBインターフェースを使用することによって接続された後、コンピュータが、コマンドをデータ端末にUSBインターフェースを使用することによって送信し、音声通信接続をコンピュータとデータ端末との間で確立するということと、音声デバイスを使用して音声信号を収集した後、コンピュータが、音声信号を処理して処理音声データを取得し、音声データを、データ端末にUSBインターフェースを使用することによって送信し、音声データ送信をコンピュータとデータ端末との間で実装するということと、を含む。
【０００４】
音声データ送信がデータ端末とコンピュータとの間で、USBインターフェースまたはPCIEインターフェースを使用することによって実行されたとき、USBインターフェースおよびPCIEインターフェースはデータをbulk方法で基本的に送信し、データがbulk方法で送信されたとき、音声データを好適に送信することができないため、音声データと音声データ以外のサービスデータは先入れ先出し方法で送信されて、音声データが大量のサービスデータによって輻輳され、リアルタイムの音声データ送信を効果的に実装することが困難である。
【０００５】
データ端末のリアルタイムの音声データ送信を確実にするために、デジタル音声インターフェースをデータ端末において使用して音声データを送信することができる。しかしながら、デジタル音声インターフェースは、ホットスワップ機能を有さず、ホットスワップの場合に適用できず、デジタル音声インターフェースをデータ端末に適応したときに、データ端末がホットスワップ機能を有さない原因となる。したがって、データ端末におけるデジタル音声インターフェースの用途が制限される。
【発明の概要】
【課題を解決するための手段】
【０００６】
データ端末が提供され、データ端末がコンピュータに接続された後、コンピュータとの音声データ交換を、第1のデジタル音声回路と第1のデジタル音声接続装置とを使用することによって実装するように構成される。
【０００７】
本発明の第1の態様は、
第1のプロセッサと、第1のデジタル音声回路と、インターフェースアイソレータと、第1のユニバーサルシリアルバスUSB回路と、第1の接続装置とを含むデータ端末を提供し、第1の接続装置が第1のデジタル音声接続装置と第1のUSB接続装置とを含み、第1のUSB回路がホットスワップ機能を有し、
第1のプロセッサが第1のデジタル音声回路に接続され、第1のプロセッサが第1のUSB回路にさらに接続され、第1のデジタル音声回路がインターフェースアイソレータに接続され、インターフェースアイソレータが第1のデジタル音声接続装置に接続され、第1のUSB回路が第1のUSB接続装置に接続され、
データ端末がコンピュータに第1の接続装置を使用することによって接続された後、インターフェースアイソレータの初期状態は切断状態であり、第1のUSB回路が初期化プロセスに入り、第1のプロセッサが、第1のUSB回路の初期化が完了した後、コンピュータと、第1のUSB回路と第1のUSB接続装置とを使用することによって交渉し、第1のデジタル音声回路の第1の構成パラメータを決定し、第1のデジタル音声回路を第1の構成パラメータに従って構成するように構成され、
第1のデジタル音声回路の構成が完了した後、インターフェースアイソレータが、接続コマンドを受信し、切断状態から接続状態に、接続コマンドに従って切り替わって、第1のデジタル音声回路と第1のデジタル音声接続装置との間のチャネルが接続されるようにし、音声データ送信が、第1のプロセッサとコンピュータとの間で、第1のデジタル音声回路と第1のデジタル音声接続装置とを使用することによって実行されるようにする。
【０００８】
第1の可能な実装方法では、第1のデジタル音声接続装置および第1のUSB接続装置は、第1の接続装置において一体化されている。
【０００９】
第1の態様または第1の態様の第1の可能な実装方法を参照すると、第2の可能な実装方法では、インターフェースアイソレータが接続コマンドを受信することは、具体的には、インターフェースアイソレータが、接続コマンドを第1のデジタル音声回路から受信すること、またはインターフェースアイソレータが、接続コマンドを第1のプロセッサから受信することである。
【００１０】
第1の態様、第1の態様の第1の可能な実装方法、または第1の態様の第2の可能な実装方法を参照すると、第3の可能な実装方法では、第1のデジタル音声回路は、パルス符号変調PCM回路または音声統合インターフェースIIS回路である。
【００１１】
第1の態様、第1の態様の第1の可能な実装方法、または第1の態様の第2の可能な実装方法、または第1の態様の第3の可能な実装方法を参照すると、第4の可能な実装方法では、データ端末は電源管理回路をさらに含み、電源管理回路は、第1のプロセッサと、第1のデジタル音声回路と、第1のUSB回路と、インターフェースアイソレータとに接続され、電源管理回路は、電気エネルギーを、第1のプロセッサと、第1のデジタル音声回路と、第1のUSB回路と、インターフェースアイソレータとのために提供するように構成され、電源管理回路は、第1の接続装置の第1のUSB接続装置にさらに接続されて、電源管理回路がコンピュータから電気エネルギーを、第1の接続装置がコンピュータに接続された後取得するようにする。
【００１２】
第1の態様、第1の態様の第1の可能な実装方法、または第1の態様の第2の可能な実装方法、第1の態様の第3の可能な実装方法、または第1の態様の第4の可能な実装方法を参照すると、第5の可能な実装方法では、データ端末は、高周波信号をワイヤレスネットワークに送信し、高周波信号をワイヤレスネットワークから受信するように構成された高周波回路をさらに含み、高周波回路は第1のプロセッサに接続され、高周波回路は電源管理回路にさらに接続されている。
【００１３】
第1の態様、第1の態様の第1の可能な実装方法、または第1の態様の第2の可能な実装方法、第1の態様の第3の可能な実装方法、第1の態様の第4の可能な実装方法、または第1の態様の第5の可能な実装方法を参照すると、第6の可能な実装方法では、第1のプロセッサは、インターフェースアイソレータが切断状態から接続状態に切り替わった後、第1のデジタル音声接続装置と第1のデジタル音声回路とを使用することによって、コンピュータによって送信された音声データを受信し、音声データを処理してベースバンド信号を取得し、ベースバンド信号を高周波回路に送信するようにさらに構成され、高周波回路は、ベースバンド信号を高周波信号に変調し、高周波信号をワイヤレスネットワークに送信するように構成され、第1のプロセッサは、第1のUSB接続装置と第1のUSB回路とを使用することによって、コンピュータによって送信されたサービスデータを受信し、サービスデータを処理してベースバンド信号を取得し、ベースバンド信号を高周波回路に送信するようにさらに構成され、高周波回路は、ベースバンド信号を高周波信号に変調し、高周波信号をワイヤレスネットワークに送信するようにさらに構成され、
高周波回路は、ワイヤレスネットワークによって送信された高周波信号を受信し、高周波信号をベースバンド信号に変調し、ベースバンド信号を第1のプロセッサに送信するようにさらに構成され、第1のプロセッサは、ベースバンド信号を処理して音声データまたはサービスデータを取得し、音声データをコンピュータに、第1のデジタル音声回路と第1のデジタル音声接続装置とを使用することによって送信するようにし、またはサービスデータをコンピュータに、第1のUSB回路と第1のUSB接続装置とを使用することによって送信するようにさらに構成され、
第1のプロセッサは、第1のUSB接続装置と第1のUSB回路とを使用することによって、コンピュータによって送信されたシステム制御コマンドを受信するようにさらに構成され、システム制御コマンドをコンピュータに、第1のUSB接続装置と第1のUSB回路とを使用することによって送信するように構成されている。
【００１４】
本発明の第2の態様は、
データ端末とコンピュータと、
を含むデータ送信システムを提供し、
データ端末は、第1のプロセッサと、第1のデジタル音声回路と、インターフェースアイソレータと、ユニバーサルシリアルバスの第1のUSB回路と、第1の接続装置とを含み、第1の接続装置は、第1のデジタル音声接続装置と第1のUSB接続装置とを含み、第1のUSB回路はホットスワップ機能を有し、
第1のプロセッサは第1のデジタル音声回路に接続され、第1のプロセッサは第1のUSB回路にさらに接続され、第1のデジタル音声回路はインターフェースアイソレータに接続され、インターフェースアイソレータは第1のデジタル音声接続装置に接続され、第1のUSB回路は第1のUSB接続装置に接続され、
コンピュータは、第2のプロセッサと、第2のデジタル音声回路と、第2のUSB回路と、第2の接続装置とを含み、第2の接続装置は、第2のデジタル音声接続装置と第2のUSB接続装置とを含み、第2のUSB回路はホットスワップ機能を有し、
第2のプロセッサは第2のデジタル音声回路に接続され、第2のプロセッサは第2のUSB回路にさらに接続され、第2のデジタル音声回路は第2のデジタル音声接続装置に接続され、第2のUSB回路は第2のUSB接続装置に接続され、
第1の接続装置は第2の接続装置に接続するように構成されて、データ端末がコンピュータに接続されるようにし、第1のデジタル音声接続装置は第2のデジタル音声接続装置に接続するように構成され、第1のUSB接続装置は第2のデジタル音声接続装置に接続するように構成され、
データ端末がコンピュータの第2の接続装置に、第1の接続装置を使用することによって接続された後、インターフェースアイソレータの初期状態は切断状態であり、第1のUSB回路および第2のUSB回路は初期化プロセスに入り、第1のUSB回路と第2のUSB回路との初期化が完了した後、第1のプロセッサは、第2のプロセッサと、第1のUSB回路と第1のUSB接続装置と第2のUSB接続装置と第2のUSB回路とを使用することによって交渉し、第1のデジタル音声回路の第1の構成パラメータと第2のデジタル音声回路の第2の構成パラメータとを決定し、第1のプロセッサは、第1のデジタル音声回路を第1の構成パラメータに従って構成し、第2のプロセッサは、第2のデジタル音声回路を第2の構成パラメータに従って構成し、
第1のデジタル音声回路と第2のデジタル音声回路との構成が完了した後、インターフェースアイソレータは接続コマンドを受信し、切断状態から接続状態に接続コマンドに従って切り替わって、第1のデジタル音声回路と、第1のデジタル音声接続装置と、第2のデジタル音声接続装置と、第2のデジタル音声回路との間のチャネルが接続されるようにし、音声データ送信が、第1のプロセッサと第2のプロセッサとの間で、第1のデジタル音声回路と、第1のデジタル音声接続装置と、第2のデジタル音声接続装置と、第2のデジタル音声回路と、を使用することによって実行されるようにする。
【００１５】
第2の態様の第1の可能な実装方法では、第1の接続装置は、第2の接続装置に交換可能な方法で接続され、インターフェースアイソレータは、接続状態から切断状態に、第1の接続装置と第2の接続装置との間の接続が切断された後切り替わる。
【００１６】
第2の態様または第2の態様の第1の可能な実装方法を参照すると、第2の可能な実装方法では、第1のデジタル音声接続装置および第1のUSB接続装置は、第1の接続装置において一体化され、第2のデジタル音声接続装置および第2のUSB接続装置は、第2の接続装置において一体化される。
【００１７】
第2の態様、第2の態様の第1の可能な実装方法、または第2の態様の第2の可能な実装方法を参照すると、第2の態様の第3の可能な実装方法では、インターフェースアイソレータが接続コマンドを受信することは、具体的には、インターフェースアイソレータが、接続コマンドを第1のデジタル音声回路から受信すること、またはインターフェースアイソレータが、接続コマンドを第1のプロセッサから受信することである。
【００１８】
第2の態様、第2の態様の第1の可能な実装方法、第2の態様の第2の可能な実装方法、または第2の態様の第3の可能な実装方法を参照すると、第2の態様の第4の可能な実装方法では、第1のデジタル音声回路は、パルス符号変調PCM回路または音声統合インターフェースIIS回路であり、第2のデジタル音声回路は、PCM回路またはIIS回路である。
【００１９】
第2の態様、第2の態様の第1の可能な実装方法、第2の態様の第2の可能な実装方法、第2の態様の第3の可能な実装方法、または第2の態様の第4の可能な実装方法を参照すると、第2の態様の第5の可能な実装方法では、データ端末は電源管理回路をさらに含み、コンピュータは電源回路をさらに含み、
電源管理回路は、第1のプロセッサと、第1のデジタル音声回路と、インターフェースアイソレータと、第1のUSB回路とに接続され、
電源管理回路は第1のUSB接続装置にさらに接続され、電源回路は第2のUSB接続装置に接続されて、第1のUSB接続装置および第2の接続装置が接続された後、電源管理回路が、電気エネルギーを電源回路から取得し、電力を、第1のプロセッサと、第1のデジタル音声回路と、インターフェースアイソレータと、第1のUSB回路とに供給するように構成されるようにする。
【００２０】
第2の態様、第2の態様の第1の可能な実装方法、第2の態様の第2の可能な実装方法、第2の態様の第3の可能な実装方法、第2の態様の第4の可能な実装方法、または第2の態様の第5の可能な実装方法を参照すると、第6の可能な実装方法では、データ端末は、高周波信号をワイヤレスネットワークに送信し、高周波信号をワイヤレスネットワークから受信するように構成された高周波回路をさらに含み、高周波回路は第1のプロセッサに接続され、高周波回路は電源管理回路に接続されている。
【００２１】
第2の態様、第2の態様の第1の可能な実装方法、第2の態様の第2の可能な実装方法、第2の態様の第3の可能な実装方法、第2の態様の第4の可能な実装方法、第2の態様の第5の可能な実装方法、または第2の態様の第6の可能な実装方法を参照すると、第7の可能な実装方法では、第1のプロセッサは、インターフェースアイソレータが切断状態から接続状態に切り替わった後、第2のプロセッサによって送信された音声データを、第2のデジタル音声回路と、第2のデジタル音声接続装置と、第1のデジタル音声接続装置と、第1のデジタル音声回路とを使用することによって受信し、音声データを処理してベースバンド信号を取得し、ベースバンド信号を高周波回路に送信するようにさらに構成され、高周波回路は、ベースバンド信号を高周波信号に変調し、高周波信号をワイヤレスネットワークに送信するように構成され、第1のプロセッサは、第2のプロセッサによって送信されたサービスデータを、第2のUSB接続装置と、第2のUSB回路と、第1のUSB接続装置と、第1のUSB回路とを使用することによって受信し、サービスデータを処理してベースバンド信号を取得し、ベースバンド信号を高周波回路に送信するようにさらに構成され、高周波回路は、ベースバンド信号を高周波信号に変調し、高周波信号をワイヤレスネットワークに送信するようにさらに構成され、
高周波回路は、ワイヤレスネットワークによって送信された高周波信号を受信し、高周波信号をベースバンド信号に変調し、ベースバンド信号を第1のプロセッサに送信するようにさらに構成され、第1のプロセッサは、ベースバンド信号を処理して音声データまたはサービスデータを取得し、音声データを第2のプロセッサに、第1のデジタル音声回路と、第1のデジタル音声接続装置と、第2のデジタル音声接続装置と、第2のデジタル音声回路とを使用することによって送信するように、またはサービスデータを第2のプロセッサに、第1のUSB回路と、第1のUSB接続装置と、第2のUSB接続装置と、第2のUSB回路とを使用することによって送信するようにさらに構成され、
第1のプロセッサは、第2のプロセッサによって、第2のUSB接続装置と、第2のUSB回路と、第1のUSB接続装置と、第1のUSB回路とを使用することによって送信されたシステム制御コマンドを受信するようにさらに構成され、システム制御コマンドを第2のプロセッサに、第1のUSB回路と、第1のUSB接続装置と、第2のUSB接続装置と、第2のUSB回路とを使用することによって送信するように構成されている。
【００２２】
本発明の第3の態様は、ホットスワップ制御方法を提供し、ホットスワップ制御方法はデータ端末に適用され、データ端末は第1のインターフェースを含み、第1のインターフェースは、第1のデジタル音声インターフェースと第1のUSBインターフェースとを含み、第1のUSBインターフェースはホットスワップ機能を有し、
ホットスワップ制御方法は、
データ端末がコンピュータに、第1のインターフェースを使用することによって接続された後、第1のUSBインターフェースを初期化するステップであって、第1のデジタル音声インターフェースとコンピュータとの間のチャネルの初期状態が切断状態である、初期化するステップと、
第1のUSBインターフェースの初期化が完了した後、データ端末によって、コンピュータと、第1のUSBインターフェースを使用することによって交渉し、第1のデジタル音声インターフェースの第1の構成パラメータを決定するステップと、
データ端末によって、第1のデジタル音声インターフェースを第1の構成パラメータに従って構成するステップと、
チャネルを第1のデジタル音声インターフェースとコンピュータとの間で接続して、音声データ送信が、データ端末とコンピュータとの間で、第1のデジタル音声インターフェースを使用することによって実行されるようにするステップと、
を含む。
【００２３】
第3の態様の第1の可能な実装方法では、チャネルを第1のデジタル音声インターフェースとコンピュータとの間で接続した後、方法は、
データ端末によって、第1のデジタル音声インターフェースを使用することによって、コンピュータによって送信された音声データを受信するステップ、または第1のUSBインターフェースを使用することによって、コンピュータによって送信されたサービスデータを受信するステップと、
データ端末によって、音声データまたはサービスデータを処理して高周波信号を取得し、高周波信号をワイヤレスネットワークに送信するステップと、
をさらに含む。
【００２４】
第3の態様または第3の態様の第1の可能な実装方法を参照すると、第2の可能な実装方法では、チャネルを、第1のデジタル音声インターフェースとコンピュータとの間で接続するステップの後、方法は、
データ端末によって、ワイヤレスネットワークによって送信された高周波信号を受信するステップと、
データ端末によって、高周波信号を処理して音声データまたはサービスデータを取得するステップと、
データ端末によって、音声データをコンピュータに、第1の値の音声インターフェースを使用することによって送信するステップ、または意味データをコンピュータに、第1のUSBインターフェースを使用することによって送信するステップと、
をさらに含む。
【００２５】
第3の態様、第3の態様の第1の可能な実装方法を、または第3の態様の第2の可能な実装方法を参照すると、第3の態様の第3の可能な実装方法では、ホットスワップ制御方法は、
データ端末によって、システム制御コマンドを、第1のUSBインターフェースを使用することによってさらに受信または送信するステップ、
をさらに含む。
【００２６】
本発明の実施形態が以下の利点を有することを、上記の技術的ソリューションから理解することができる。
【００２７】
第1のUSB回路のホットスワップ機能を使用することによって、第1のデジタル音声回路の構成パラメータに関する交渉が完了し、第1のデジタル音声回路に関するパラメータ構成が完了した後、第1のデジタル音声回路と第1のデジタル音声接続装置との間のチャネルが接続されて、音声データ送信が、第1のプロセッサとコンピュータとの間で、第1のデジタル音声回路と第1のデジタル音声接続装置とを使用することによって実行することができるようにし、第1のデジタル音声回路をデータ端末に適用したとき、第1のデジタル音声回路がホットスワップ機能を有するようにする。
【図面の簡単な説明】
【００２８】
【図１】本発明の一実施形態による、データ端末の構造の概略図である。
【図２】本発明の一実施形態による、データ端末の構造の別の概略図である。
【図３】本発明の一実施形態による、データ送信システムの構造の概略図である。
【図４】本発明の一実施形態による、データ送信システムの構造の別の概略図である。
【図５】本発明の一実施形態による、第1の接続装置の概略図である。
【図６】本発明の一実施形態による、ホットスワップ制御方法の概略図である。
【発明を実施するための形態】
【００２９】
本発明の実施形態は、データ端末と、データ送信システムと、第1のデジタル音声回路のホットスワップ機能をデータ端末において実装し、第1のデジタル音声回路をデータ端末において使用して、音声データ送信を実装することができるようにするホットスワップ制御方法とを提供する。
【００３０】
最初に、本発明の実施形態において述べるデータ端末が、ワイヤレスWANカード、ワイヤレスモデム、または音声機能を有する同様のものであることができ、本発明の実施形態において述べるコンピュータが、PC、タブレット、またはスマートフォンなどのコンピュータ機能を実装できる端末デバイスであることができるということに留意すべきである。
【００３１】
図1を参照すると、図1は、本発明の実施形態によるデータ端末の構造の概略図であり、データ端末は、
第1プロセッサ101と、第1のデジタル音声回路102と、インターフェースアイソレータ103と、第1のUSB回路104と、第1の接続装置105とを含み、第1の接続装置105は、第1のデジタル音声接続装置106と、第1のUSB接続装置107とを含み、第1のUSB回路104はホットスワップ機能を有する。
【００３２】
第1のプロセッサ101は第1のデジタル音声回路102に接続され、第1のプロセッサ101は第1のUSB回路104にさらに接続され、第1のデジタル音声回路102はインターフェースアイソレータ103に接続され、第1のデジタル音声接続装置106はインターフェースアイソレータ103に接続され、第1のUSB接続装置107は、第1のUSB回路104に接続されている。
【００３３】
データ端末がコンピュータに、第1の接続装置105を使用することによって接続された後、インターフェースアイソレータ103の初期状態は切断状態であり、第1のUSB回路は初期化プロセスに入り、第1のプロセッサ101は、第1のUSB回路104の初期化が完了した後、コンピュータと、第1のUSB回路104と第1のUSB接続装置107とを使用することによって交渉し、第1のデジタル音声回路102の第1の構成パラメータを決定し、第1のデジタル音声回路102を第1の構成パラメータに従って構成するように構成されている。
【００３４】
第1のデジタル音声回路102に関する構成が完了した後、インターフェースアイソレータ103は接続コマンドを受信し、切断状態から接続状態に接続コマンドに従って切り替わって、第1のデジタル音声回路102と第1のデジタル音声接続装置106との間のチャネルが接続されるようにし、音声データ送信が、第1のプロセッサ101とコンピュータとの間で、第1のデジタル音声回路102と第1のデジタル音声接続装置106とを使用することによって実行され得るようにする。
【００３５】
任意で、本発明の本実施形態では、第1のデジタル音声接続装置106および第1のUSB接続装置107は、第1の接続装置105において一体化される。
【００３６】
任意で、本発明の本実施形態では、インターフェースアイソレータ103が接続コマンドを受信することが、具体的には、インターフェースアイソレータ103が、接続コマンドを第1のプロセッサ101から受信すること、またはインターフェースアイソレータ103が、接続コマンドを第1のデジタル音声回路102から受信することである。
【００３７】
本発明の本実施形態では、第1の接続装置105がコンピュータに接続された後、インターフェースアイソレータ103の初期状態は切断状態であり、第1のデジタル音声回路102はコンピュータから電気的に切断され、第1のUSB回路104は、交換プロセスを開始することになり、第1のUSB回路104の初期化を実装し、第1のUSB回路104が初期化を完了した後、データ端末の第1のプロセッサ101は、コンピュータと、第1のUSB回路104と第1のUSB接続装置107とを使用することによって交渉し、第1のデジタル音声回路102の第1の構成パラメータを決定し、構成パラメータは、通信頻度と、フレーム形式と、動作モードと、同様なものとを含み、第1のプロセッサ101は、第1のデジタル音声回路102を第1の構成パラメータに従って構成する。第1のプロセッサ101が、コンピュータと、第1のUSB回路104と第1のUSB接続装置とを使用することによって交渉し、第1のデジタル音声回路102の第1の構成パラメータを決定するとき、コンピュータは、また、コンピュータの第2のデジタル音声回路の第2の構成パラメータを決定し、コンピュータの第2のデジタル音声回路を第2の構成パラメータに従って構成し、第1のプロセッサ101が、第1のデジタル音声回路102に関するパラメータ構成を完了させ、コンピュータが、コンピュータ上の第2のデジタル音声回路に関するパラメータ構成を完了させた後、インターフェースアイソレータ103は接続コマンドを受信し、インターフェースアイソレータ103が、切断状態から接続状態に接続コマンドに従って切り替わって、第1のデジタル音声回路102と第1のデジタル音声接続装置106との間でチャネルが接続されるようにし、第1のデジタル音声回路102がホットスワップ機能を有するようにする。
【００３８】
本発明の本実施形態では、第1の接続装置105がコンピュータに接続された後、コンピュータによって送信されるサービスデータまたはシステム制御コマンドが、第1のプロセッサ101に、第1のUSB接続装置107と第1のUSB回路104とを使用することによって送信されて、第1のプロセッサが、コンピュータによって送信されたサービスデータまたはシステム制御コマンドを取得できるようにし、または第1のプロセッサ101が、サービスデータまたはシステム制御コマンドをコンピュータに、第1のUSB回路104と第1のUSB接続装置107とを使用することによって送信できるようにし、コンピュータが、データ端末によって送信されたサービスデータまたはシステム制御コマンドを受信できるようにする。
【００３９】
本発明の本実施形態では、インターフェースアイソレータ103が切断状態から接続状態に切り替わった後、音声データ送信が、コンピュータとデータ端末との間でさらに実装され得る。具体的には、コンピュータによって送信される音声データが、第1のプロセッサ101に、第1のデジタル音声接続装置106と第1のデジタル音声回路102とを使用することによって送信されて、第1のプロセッサが、コンピュータによって送信された音声データを取得できるようにし、またはデータ端末の第1のプロセッサ101が、音声データをコンピュータに、第1のデジタル音声回路102と第1のデジタル音声接続装置106とを使用することによって送信できるようにし、コンピュータが、データ端末によって送信された音声データを受信できるようにする。
【００４０】
本発明の本実施形態では、サービスデータが音声データを含まないことに留意すべきである。
【００４１】
本発明の本実施形態では、第1のデジタル音声回路102は、パルス符号変調(Pulse-Code Modulation、略してPCM)回路であることができ、または音声統合インターフェース(Inter-IC Sound bus、略してIIS)回路であることができる。音声データは、データ端末内の第1のデジタル音声回路102を使用することによって送信され、それにより、リアルタイムの音声データ送信を効果的に保証することができる。
【００４２】
本発明の本実施形態では、第1の接続装置105は、物理的実体構造の観点から分割され、コンピュータに接続するように構成された物理的モジュールであり、たとえば、第1の接続装置105は、接続溝、コネクタ、または一般的なソケットであることができ、それらには回路ピンが含まれ得る。
【００４３】
本発明の本実施形態では、第1の接続装置105がコンピュータ内のインターフェースに適合する方法で接続され、インターフェースアイソレータ103が接続状態にあるとき、音声データと、サービスデータと、システム制御コマンドとに関する交換を、データ端末とコンピュータとの間で実行することができ、データ端末とコンピュータとの間の接続が切断された場合、またはコンピュータの電源が切られた場合、インターフェースアイソレータ103は、接続状態から切断状態に切り替わる。
【００４４】
本発明の本実施形態では、インターフェースアイソレータ103の切断状態は、インターフェースアイソレータ103のピンが、高インピーダンス状態にあるということを指し、またはインターフェースアイソレータ103がコンピュータに接続されている側にあるピンが入力状態にあり、ピンが、接続された信号ケーブルのレベルの変化に影響しないとき、インターフェースアイソレータ103がある状態は、また、切断状態である。インターフェースアイソレータ103の接続状態は、データ送信が通常に実行され得る別の状態を指すが、切断状態を除く。
【００４５】
本発明の本実施形態では、チャネルを、第1のデジタル音声回路102と第1のデジタル音声接続装置106との間で切断し、接続する複数の実装方法があり得、インターフェースアイソレータ103を使用することが、複数の実装方法の中で唯一の実現可能な実装方法であり、第1のデジタル音声回路102と第1のデジタル音声接続装置106との間のチャネルの接続および切断を実装することができるのであれば、スイッチなどのハードウェアを用いた別の方法を実装のために使用することができ、またはソフトウェアを用いた方法も実装のために使用することができる、ということに留意すべきである。したがって、実際のアプリケーションでは、チャネルの接続と切断との実装方法は、具体的な状況に従って設定することができる。
【００４６】
本発明の本実施形態では、データ端末は、音声データを送信するように構成された第1のデジタル音声回路102と、ホットスワップ制御を第1のデジタル音声回路102に対して実装するように構成されたインターフェースアイソレータ103とを含み、データ端末の第1の接続装置105がコンピュータのインターフェースに適合する方法で接続された後、データ端末の第1のプロセッサ101が、コンピュータと、第1のUSB回路104と第1のUSB接続装置とを使用することによって交渉し、第1のデジタル音声回路102の第1の構成パラメータを決定できるようにし、第1のプロセッサ101は、第1のデジタル音声回路102に関する構成を、第1の構成パラメータに従って完了させ、第1のデジタル音声回路102の構成が完了した後、インターフェースアイソレータ103が接続コマンドを受信し、インターフェースアイソレータ103が、切断状態から接続状態に接続コマンドに従って切り替わって、第1のデジタル音声回路102と第1のデジタル音声接続装置106との間のチャネルが接続されるようにして、ホットスワップ制御を第1のデジタル音声回路102に対して実装する。したがって、第1のデジタル音声回路102をデータ端末において使用して、音声データ送信を実装することができる。
【００４７】
図2を参照すると、図2は、本発明の実施形態によるデータ端末の構造の別の実施形態を示しており、データ端末は、
図1に示した実施形態において説明した、第1のプロセッサ101と、第1のデジタル音声回路102と、インターフェースアイソレータ103と、第1のUSB回路104と、第1の接続装置105とを含む。第1のプロセッサ101と、第1のデジタル音声回路102と、インターフェースアイソレータ103と、第1のUSB回路104と、第1の接続装置105との内容は、図1に示した実施形態において説明した内容と同様であり、本明細書では詳細を再び説明しない。
【００４８】
本発明の本実施形態では、データ端末は、電源管理回路201をさらに含み、電源管理回路201は、第1のプロセッサ101と、第1のデジタル音声回路102と、インターフェースアイソレータ103と、第1のUSB回路104とに接続されている。電源管理回路201は、電気エネルギーを、第1のプロセッサ101と、第1のデジタル音声回路102と、インターフェースアイソレータ103と、第1のUSB回路104とのために提供するように構成されている。加えて、電源管理回路201は、第1の接続装置105の第1のUSB接続装置107にさらに接続されて、第1の接続装置105がコンピュータに接続された後、電源管理回路201が、電気エネルギーをコンピュータから取得し、電気エネルギーをデータ端末のために提供することができるようにする。
【００４９】
本発明の本実施形態では、電源管理回路201は、電源管理集積回路(Power Management Integrated Circuit、略してPMIC)であることができる。
【００５０】
本発明の本実施形態では、データ端末は、高周波信号をワイヤレスネットワークに送信し、高周波信号をワイヤレスネットワークから受信するように構成された高周波回路202をさらに含み、高周波回路202は第1のプロセッサ101に接続され、高周波回路202は電源管理回路201にさらに接続されている。第1のプロセッサ101は、高周波信号を外部デバイスに、高周波回路202を使用することによって送信することができ、または、高周波回路202は、受信した高周波信号をベースバンド信号に変調し、ベースバンド信号を第1のプロセッサ101に送信することができる。
【００５１】
本発明の本実施形態では、第1のプロセッサ101は、インターフェースアイソレータ103が切断状態から接続状態に切り替わった後、第1のデジタル音声接続装置106とインターフェースアイソレータ103と第1のデジタル音声回路102とを使用することによって、コンピュータによって送信された音声データを受信し、音声データを処理してベースバンド信号を取得し、ベースバンド信号を高周波回路202に送信するようにさらに構成され、高周波回路202は、ベースバンド信号を高周波信号に変調し、高周波信号をワイヤレスネットワークに送信するようにさらに構成されている。
【００５２】
本発明の本実施形態では、第1のプロセッサ101は、第1のUSB接続装置107と第1のUSB回路104とを使用することによって、コンピュータによって送信されたサービスデータを受信し、サービスデータを処理してベースバンド信号を取得し、ベースバンド信号を高周波回路202に送信するようにさらに構成され、高周波回路202は、ベースバンド信号を高周波信号に変調し、高周波信号をワイヤレスネットワークに送信するようにさらに構成されている。
【００５３】
本発明の本実施形態では、高周波回路202は、ワイヤレスネットワークによって送信された高周波信号を受信し、高周波信号をベースバンド信号に変調し、ベースバンド信号を第1のプロセッサに送信するようにさらに構成され、第1のプロセッサは、ベースバンド信号を処理して音声データまたはサービスデータを取得し、音声データをコンピュータに、第1のデジタル音声回路102と第1のデジタル音声接続装置106とを使用することによって送信するように、またはサービスデータをコンピュータに、第1のUSB回路104と第1のUSB接続装置107とを使用することによって送信するようにさらに構成されている。
【００５４】
本発明の本実施形態では、第1のプロセッサ101は、第1のUSB接続装置107と第1のUSB回路104とを使用することによって、コンピュータによって送信されたシステム制御コマンドを受信するようにさらに構成され、システム制御コマンドをコンピュータに、第1のUSB接続装置107と第1のUSB回路104とを使用することによって送信するように構成されている。
【００５５】
本発明の本実施形態では、音声データを送信するように構成された第1のデジタル音声回路102、およびホットスワップ制御を第1のデジタル音声回路102に対して実装するように構成されたインターフェースアイソレータ103は、データ端末内に配置され、データ端末の第1の接続装置105がコンピュータに接続された後、データ端末の第1のプロセッサ101が、コンピュータと、第1のUSB回路104と第1のUSB接続装置とを使用することによって交渉し、第1のデジタル音声回路102の第1の構成パラメータを決定できるようにし、第1のプロセッサ101は、第1のデジタル音声回路101に関する構成を、第1の構成パラメータに従って完了させ、第1のデジタル音声回路102に関する構成が完了した後、インターフェースアイソレータ103が接続コマンドを受信し、インターフェースアイソレータ103が、切断状態から接続状態に接続コマンドに従って切り替わって、第1のデジタル音声回路102と第1のデジタル音声接続装置106との間のチャネルが接続され、第1のデジタル音声回路102がホットスワップ機能を有し、第1のデジタル音声回路102をデータ端末において使用して、音声データを送信できるようにする。
【００５６】
図3を参照すると、図3は、本発明の一実施形態によるデータ送信システムの構造の一実施形態を示し、データ送信システムは、
データ端末301とコンピュータ302とを含む。
【００５７】
データ端末301は、第1のプロセッサ101と、第1のデジタル音声回路102と、インターフェースアイソレータ103と、第1のUSB回路104と、第1の接続装置105とを含み、第1の接続装置105は、第1のデジタル音声接続装置106と第1のUSB接続装置107とを含み、第1のUSB回路104はホットスワップ機能を有する。
【００５８】
第1のプロセッサ101は第1のデジタル音声回路102に接続され、第1のプロセッサ101は第1のUSB回路104にさらに接続され、第1のデジタル音声回路102はインターフェースアイソレータ103に接続され、第1のデジタル音声接続装置106はインターフェースアイソレータ103に接続され、第1のUSB接続装置は第1のUSB回路104に接続されている。
【００５９】
コンピュータ302は、第2のプロセッサ303と、第2のデジタル音声回路304と、第2のUSB回路305と、第2の接続装置306とを含み、第2の接続装置306は、第2のデジタル音声接続装置307と第2のUSB接続装置308とを含み、第2のUSB回路は、ホットスワップ機能を有する。
【００６０】
第2のプロセッサ303は第2のデジタル音声回路304に接続され、第2のプロセッサ303は第2のUSB回路305にさらに接続され、第2のデジタル音声接続装置307は第2のデジタル音声回路304に接続され、第2のUSB接続装置は、第2のUSB回路305に接続されている。
【００６１】
第1の接続装置105は第2の接続装置306に接続するように構成され、データ端末301がコンピュータ302に接続されるようにし、第1のデジタル音声接続装置106は第2のデジタル音声接続装置307に接続するように構成され、第1のUSB接続装置107は第2のデジタル音声接続装置308に接続するように構成されている。
【００６２】
本発明の本実施形態では、データ端末301がコンピュータの第2の接続装置306に第1の接続装置105を使用することによって接続された後、インターフェースアイソレータ103の初期状態は切断状態であり、第1のUSB回路104および第2のUSB回路305は初期化プロセスに入り、第1のプロセッサ101は、第1のUSB回路104と第2のUSB回路305との初期化が完了した後、第2のプロセッサ303と、第1のUSB回路104と第1のUSB接続装置107と第2のUSB接続装置308と第2のUSB回路305とを使用して交渉し、第1のデジタル音声回路102の第1の構成パラメータと第2のデジタル音声回路304の第2の構成パラメータとを決定するように構成され、第1の構成パラメータおよび第2の構成パラメータは、通信頻度と、フレーム形式と、動作モードと、同様なものとを含み、第1のプロセッサ101は、第1のデジタル音声回路102を第1の構成パラメータに従って構成し、第2のプロセッサ303は、第2のデジタル音声回路304を第2の構成パラメータに従って構成し、第1のデジタル音声回路102と第2のデジタル音声回路304とに関する構成が完了した後、インターフェースアイソレータ103は、接続コマンドを受信し、切断状態から接続状態に接続コマンドに従って切り替わって、第1のデジタル音声回路102と、第1のデジタル音声接続装置106と、第2のデジタル音声接続装置307と、第2のデジタル音声回路304との間のチャネルが接続されるようにし、音声データ送信が、第1のプロセッサ101と第2のプロセッサ303との間で、第1のデジタル音声回路102と、第1のデジタル音声接続装置106と、第2のデジタル音声接続装置307と、第2のデジタル音声回路304とを使用することによって実行され得るようにする。
【００６３】
任意で、本発明の本実施形態では、第1の接続装置105は、第2の接続装置306に交換可能な方法で接続され、インターフェースアイソレータ103は、接続状態から切断状態に、第1の接続装置105と第2の接続装置306との間の接続が切断された後、切り替わる。
【００６４】
任意で、本発明の本実施形態では、第1のデジタル音声接続装置106および第1のUSB接続装置107は、第1の接続装置105において一体化され、第2のデジタル音声接続装置307および第2のUSB接続装置308は、第2の接続装置306において一体化される。
【００６５】
任意で、本発明の本実施形態では、インターフェースアイソレータ103が接続コマンドを受信することは、具体的には、インターフェースアイソレータ103が、接続コマンドを第1のプロセッサ101から受信すること、またはインターフェースアイソレータ103が、接続コマンドを第1のデジタル音声回路102から受信することである。
【００６６】
任意で、本発明の本実施形態では、第1のデジタル音声回路102は、PCM回路またはIIS回路であることができ、第2のデジタル音声回路は、PCM回路またはIIS回路であることができる。
【００６７】
本発明の本実施形態では、データ端末301の第1の接続装置105がコンピュータ302の第2の接続装置306に接続された後、コンピュータ302の第2のプロセッサ303によって送信されるサービスデータまたはシステム制御コマンドは、第1のプロセッサ101に、第2のUSB回路305と、第2の接続装置306と、第1のUSB接続装置107と、第1のUSB回路104とを使用することによって送信されて、第1のプロセッサ101が、コンピュータ302の第2のプロセッサ303によって送信されたサービスデータまたはシステム制御コマンドを取得できるようにし、または第1のプロセッサ101は、サービスデータまたはシステム制御コマンドを、第2のプロセッサ303に、第1のUSB回路104と、第1のUSB接続装置107と、第2のUSB接続装置308と、第2のUSB回路305とを使用することによって送信することができ、コンピュータ302の第2のプロセッサ303が、データ端末301の第1のプロセッサ101によって送信されたサービスデータまたはシステム制御コマンドを受信できるようにする。
【００６８】
本発明の本実施形態では、インターフェースアイソレータ103が切断状態から接続状態に切り替わった後、音声データ送信は、コンピュータ302とデータ端末301との間でさらに実装することができる。具体的には、コンピュータ302の第2のプロセッサ303によって送信される音声データは、第1のプロセッサ101に、第2のデジタル音声接続装置307と、第2のデジタル音声回路304と、第1のデジタル音声接続装置106と、第1のデジタル音声回路102とを使用することによって送信され、第1のプロセッサ101が、コンピュータ302の第2のプロセッサ303によって送信された音声データを取得できるようにし、またはデータ端末301の第1のプロセッサ101は、音声データをコンピュータ302の第2のプロセッサ303に、第1のデジタル音声回路102と、第1のデジタル音声接続装置106と、第2のデジタル音声接続装置307と、第2のデジタル音声回路304とを使用して送信することができ、コンピュータ302の第2のプロセッサ303が、データ端末301の第1のプロセッサ101によって送信された音声データを受信できるようにする。
【００６９】
本発明の本実施形態では、インターフェースアイソレータ103が接続状態にあるとき、データ端末301とコンピュータ302との間の接続が切断された場合、またはコンピュータ302の電源が切られた場合、インターフェースアイソレータ103は、接続状態から切断状態に切り替わる。
【００７０】
本発明の本実施形態では、インターフェースアイソレータ103の切断状態は、インターフェースアイソレータ103のピンが高インピーダンス状態にあるということを指し、または、インターフェースアイソレータ103がコンピュータに接続されている側にあるピンが入力状態にあり、ピンが、接続された信号ケーブルのレベルの変化に影響を与えないとき、インターフェースアイソレータ103がある状態は、また、切断状態である。インターフェースアイソレータ103の接続状態は、データ送信が通常に実行され得る別の状態を指すが、切断状態を除く。
【００７１】
本発明の本実施形態では、チャネルを、第1のデジタル音声回路102と第1のデジタル音声接続装置106との間で切断し、接続する複数の実装方法があり得、インターフェースアイソレータ103を使用することが、複数の実装方法の中で唯一の実現可能な実装方法であり、第1のデジタル音声回路102と第1のデジタル音声接続装置106との間のチャネルの接続および切断を実装することができるのであれば、スイッチなどのハードウェアを用いた別の方法を実装のために使用することができ、またはソフトウェアを用いた方法も実装のために使用することができる、ということに留意すべきである。したがって、実際のアプリケーションでは、チャネルの接続と切断との実装方法は、具体的な状況に従って設定することができる。
【００７２】
本発明の本実施形態におけるデータ送信システムでは、データ端末301は、音声データを送信するように構成された第1のデジタル音声回路102と、ホットスワップ制御を第1のデジタル音声回路102に対して実装するように構成されたインターフェースアイソレータ103とを含み、データ端末301の第1の接続装置105がコンピュータ302の第2の接続装置306に接続された後、インターフェースアイソレータ103の初期状態は切断状態であり、第1のUSB回路104および第2のUSB回路305は初期化プロセスに入り、初期化か完了した後、データ端末301の第1のプロセッサ101は、コンピュータ302の第2のプロセッサ303と、第1のUSB回路104と第1のUSB接続装置107と第2のUSB接続装置308と第2のUSB回路305とを使用することによって交渉し、第1のデジタル音声回路102の第1の構成パラメータと第2のデジタル音声回路304の第2の構成パラメータとを決定することができ、第1のプロセッサ101は、第1のデジタル音声回路102を第1の構成パラメータに従って構成し、第2のプロセッサ303は、第2のデジタル音声回路304を第2の構成パラメータに従って構成し、第1のデジタル音声回路102と第2のデジタル音声回路304との構成が完了した後、インターフェースアイソレータ103が接続コマンドを受信し、インターフェースアイソレータ103が、切断状態から接続状態に接続コマンドに従って切り替わって、第1のデジタル音声回路102と、第1のデジタル音声接続装置106と、第2のデジタル音声接続装置307と、第2のデジタル音声回路304との間のチャネルが接続されるようにし、ホットスワップ制御を第1のデジタル音声回路102に対して実装する。したがって、第1のデジタル音声回路102をデータ端末301において使用して、音声データ送信を実装することができる。
【００７３】
第1の接続装置105、第2の接続装置306、第1のデジタル音声接続装置107、第1のUSB接続装置108、第2のデジタル音声接続装置307、および第2のUSB接続装置、および本発明の本実施形態において述べた同様のものは、接続溝、コネクタ、ソケット、または同様なものであることができ、それらには回路ピンが含まれ得る。
【００７４】
図4を参照すると、図4は、本発明の一実施形態によるデータ送信システムの別の実施形態を示し、データ送信システムは、
図3で示した実施形態において説明した、データ端末301とコンピュータ302とを含む。データ端末301とコンピュータ302との内容は、図3で示した実施形態において説明した内容と同様であり、本明細書では詳細を再び説明しない。
【００７５】
本発明の本実施形態では、データ端末301は電源管理回路201をさらに含むことができ、コンピュータ302は電源回路401をさらに含むことができ、電源管理回路201は、第1のプロセッサ101と、第1のデジタル音声回路102と、インターフェースアイソレータ103と、第1のUSB回路104とに接続され、電源回路401は第2のUSB接続装置305に接続されている。
【００７６】
電源管理回路201は第1の接続装置105にさらに接続され、第1の接続装置105が第2の接続装置306に接続された後、電源管理ユニット201が、電気エネルギーを電源回路401から取得し、電力を、第1のプロセッサ101と、第1のデジタル音声回路102と、インターフェースアイソレータ103と、第1のUSB回路104とに供給するように構成されるようにする。
【００７７】
本発明の本実施形態では、データ端末301は、高周波信号をワイヤレスネットワークに送信し、高周波信号をワイヤレスネットワークから受信するように構成された高周波回路202をさらに含み、高周波回路202は第1のプロセッサ101と電源管理回路201とに接続され、電源管理回路201は電気エネルギーを高周波回路202のために提供する。
【００７８】
本発明の本実施形態では、第1のプロセッサ101は、インターフェースアイソレータ103が切断状態から接続状態に切り替わった後、第2のプロセッサ303によって送信された音声データを、第2のデジタル音声回路304と、第2のデジタル音声接続装置307と、第1のデジタル音声接続装置106と、第1のデジタル音声回路102とを使用することによって受信し、音声データを処理してベースバンド信号を取得し、ベースバンド信号を高周波回路202に送信するようにさらに構成され、高周波回路202は、ベースバンド信号を高周波信号に変調し、高周波信号をワイヤレスネットワークに送信するように構成されている。
【００７９】
本発明の本実施形態では、第1のプロセッサ101は、第2のプロセッサ303によって送信されたサービスデータを、第2のUSB接続装置308と、第2のUSB回路305と、第1のUSB接続装置107と、第1のUSB回路104とを使用することによって受信し、サービスデータを処理してベースバンド信号を取得し、ベースバンド信号を高周波回路202に送信するようにさらに構成され、高周波回路202は、ベースバンド信号を高周波信号に変調し、高周波信号をワイヤレスネットワークに送信するように構成されている。
【００８０】
本発明の本実施形態では、高周波回路202は、ワイヤレスネットワークによって送信された高周波信号を受信し、高周波信号をベースバンド信号に変調し、ベースバンド信号を第1のプロセッサ101に送信するようにさらに構成され、第1のプロセッサ101は、ベースバンド信号を処理して音声データまたはサービスデータを取得し、音声データを第2のプロセッサ303に、第1のデジタル音声回路102と、第1のデジタル音声接続装置106と、第2のデジタル音声接続装置307と、第2のデジタル音声回路304とを使用することによって送信するように、またはサービスデータを第2のプロセッサ303に、第1のUSB回路104と、第1のUSB接続装置107と、第2のUSB接続装置308と、第2のUSB回路305とを使用することによって送信するようにさらに構成されている。
【００８１】
本発明の本実施形態では、第1のプロセッサ101は、第2のプロセッサ303によって送信されたシステム制御コマンドを、第2のUSB接続装置308と、第2のUSB回路305と、第1のUSB接続装置107と、第1のUSB回路104とを使用することによって受信するようにさらに構成されている。
【００８２】
本発明の本実施形態では、第1のプロセッサ101は、システム制御コマンドを第2のプロセッサ303に、第1のUSB回路104と、第1のUSB接続装置107と、第2のUSB接続装置308と、第2のUSB回路305とを使用することによって送信するようにさらに構成されている。
【００８３】
本発明の本実施形態では、音声データ送信は、コンピュータ302の第2のプロセッサ303とデータ端末301の第1のプロセッサ101との間で実行することができる。コンピュータ302の第2のプロセッサ303によって第1のプロセッサ101に送信された音声データは、コンピュータ302の、マイクなどの音声デバイスによる収集という手段によって取得されたデータであることができる。データを収集した後、第2のプロセッサ303は、エコー除去、環境ノイズ除去、録音、または音声認識などの処理をデータに対して実行し、処理の後に取得された音声データを第1のプロセッサ101に、第2のデジタル音声回路304と、第2のデジタル音声接続装置307と、第1のデジタル音声接続装置106と、第1のデジタル音声回路102とを使用することによって送信する。音声データを受信した後、第1のプロセッサ101は、暗号化、符号化、フレーミング、カプセル化、および変換などの処理を音声データに対して実行してベースバンド信号を取得し、ベースバンド信号を高周波回路に送信し、高周波回路202は、ベースバンド信号を高周波回路に変調し、高周波信号をワイヤレスネットワークに送信する。高周波回路202が音声データを含む高周波信号を受信した場合、高周波回路202は、高周波信号をベースバンド信号に変調し、ベースバンド信号を第1のプロセッサ101に送信し、第1のプロセッサ101は、ベースバンド信号を処理して音声データを取得し、第1のプロセッサ101は、音声データを第2のプロセッサ303に、第1のデジタル音声回路102と、第1のデジタル音声接続装置106と、第2のデジタル音声接続装置307と、第2のデジタル音声回路304とを使用することによって送信する。第2のプロセッサ303は、音声データを処理し、コンピュータ302の音声デバイスを使用することによって、処理後の音声データを放送することができ、ユーザが音声を聞くことができるようにする。
【００８４】
本発明の本実施形態におけるデータ送信システムでは、データ端末301は、音声データを送信するように構成された第1のデジタル音声回路102と、ホットスワップ制御を第1のデジタル音声回路102に対して実装するように構成されたインターフェースアイソレータ103とを含み、データ端末301の第1の接続装置105がコンピュータ302の第2の接続装置306に接続された後、インターフェースアイソレータ103の初期状態が切断状態であり、第1のUSB回路104および第2のUSB回路305が初期化プロセスに入るようにし、初期化が完了した後、データ端末301の第1のプロセッサ101は、コンピュータ302の第2のプロセッサ303と、第1のUSB回路104と第1のUSB接続装置107と第2のUSB接続装置308と第2のUSB回路305とを使用することによって交渉し、第1のデジタル音声回路102の構成パラメータと第2のデジタル音声回路304の構成パラメータとを決定することができ、第1のプロセッサ101および第2のプロセッサ303は、それぞれ、第1のデジタル音声回路102と第2のデジタル音声回路304とに対するパラメータ構成を、対応する構成パラメータに従って完了させ、構成が完了した後、インターフェースアイソレータ103が接続コマンドを受信し、インターフェースアイソレータ103が、切断状態から接続状態に接続コマンドに従って切り替わって、第1のデジタル音声回路102と、第1のデジタル音声接続装置106と、第2のデジタル音声接続装置307と、第2のデジタル音声回路304との間のチャネルが接続されるようにし、ホットスワップ制御を第1のデジタル音声回路102に対して実装する。したがって、第1のデジタル音声回路102をデータ端末301において使用して、音声データ送信を実装することができる。
【００８５】
本発明の本実施形態における第1の接続装置のより良い理解のために、第1のデジタル音声回路102がPCMである一実施例において、第1の接続装置の実体の構造図を説明し、図5を参照する。第1の接続装置のピンは、PCM_SYNCと、PCM_CLKと、PCM_DOと、PCM_DIと、USB_D+と、USB_D-と、VCCと、GNDとを含み、ピンPCM_SYNC、ピンPCM_CLK、ピンPCM_DO、およびピンPCM_DIは、第1のデジタル音声回路102に接続されるピンであり、ピンUSB_D+およびピンUSB_D-は、第1のUSB回路104に接続されるピンであり、ピンVCCおよびピンGNDは、電源管理回路201に接続されるピンである。
【００８６】
図6を参照すると、図6は、本発明の一実施形態によるデータ端末のホットスワップ制御方法の一実施形態を示している。本発明の本実施形態では、データ端末は第1のインターフェースを含み、第1のインターフェースは、第1のデジタル音声インターフェースと第1のUSBインターフェースとを含み、第1のUSBインターフェースはホットスワップ機能を有する。データ端末のホットスワップ制御方法は、以下を含む。
【００８７】
601。データ端末がコンピュータに第1のインターフェースを使用することによって接続された後、第1のUSBインターフェースを初期化し、第1のデジタル音声インターフェースとコンピュータとの間のチャネルの初期状態は、切断状態である。
【００８８】
本発明の本実施形態では、データ端末がコンピュータに第1のインターフェースを使用することによって接続された後、第1のUSBインターフェースが初期化され、第1のデジタル音声インターフェースとコンピュータとの間のチャネルの初期状態は、切断状態である。
【００８９】
本発明の本実施形態では、データ端末は、図1から図4で示した実施形態のうちのいずれかにおいて説明したデータ端末であることができ、第1のデジタル音声インターフェースは、第1のデジタル音声接続装置106と、インターフェースアイソレータ103と、第1のデジタル音声回路102とを含み、第1のUSBインターフェースは、第1のUSB回路104と第1のUSB接続装置107とを含む。
【００９０】
本発明の本実施形態では、データ端末がコンピュータに第1のインターフェースを使用することによって接続された後、インターフェースアイソレータ103の初期状態が切断状態であるため、第1のデジタル音声インターフェースとコンピュータとの間のチャネルの初期状態は、切断状態である。
【００９１】
602。第1のUSBインターフェースの初期化が完了した後、データ端末は、コンピュータと、第1のUSBインターフェースを使用することによって交渉し、第1のデジタル音声インターフェースの第1の構成パラメータを決定する。
【００９２】
本発明の本実施形態では、第1のUSBインターフェースの初期化が完了した後、データ端末は、コンピュータと、第1のUSBインターフェースを使用することによって交渉し、第1のデジタル音声インターフェースの第1の構成パラメータを決定する。
【００９３】
603。データ端末は、第1のデジタル音声インターフェースを第1の構成パラメータに従って構成する。
【００９４】
本発明の本実施形態では、データ端末は、第1のデジタル音声インターフェースを第1の構成パラメータに従って構成する。
【００９５】
604。チャネルを第1のデジタル音声インターフェースとコンピュータとの間で接続して、音声データ送信が、データ端末とコンピュータとの間で第1のデジタル音声インターフェースを使用することによって実行されるようにする。
【００９６】
本発明の本実施形態では、データ端末が第1のデジタル音声インターフェースに関する構成を完了させた後、第1のデジタル音声インターフェースとコンピュータとの間のチャネルが接続されて、音声データ送信が、データ端末とコンピュータとの間で第1のデジタル音声インターフェースを使用することによって実行されるようにする。
【００９７】
本発明の本実施形態では、データ端末がチャネルを第1のデジタル音声インターフェースとコンピュータとの間で接続した後、データ端末は、第1のデジタル音声インターフェースを使用することによって、コンピュータによって送信された音声データを受信することができ、または第1のUSBインターフェースを使用することによって、コンピュータによって送信されたサービスデータを受信することができ、加えて、データ端末は、音声データまたはサービスデータをさらに処理して高周波信号を取得し、高周波信号をワイヤレスネットワークに送信する。
【００９８】
本発明の本実施形態では、データ端末がチャネルを第1のデジタル音声インターフェースとコンピュータとの間で接続した後、データ端末は、ワイヤレスネットワークによって送信された高周波信号をさらに受信し、高周波信号を処理して音声データまたはサービスデータを取得することができ、処理という手段によって取得されたものが音声データである場合、データ端末は、音声データをコンピュータに第1のデジタル音声インターフェースを使用することによって送信し、または、処理という手段によって取得されたものがサービスデータである場合、データ端末は、サービスデータをコンピュータに第1のUSBインターフェースを使用することによって送信する。
【００９９】
本発明の本実施形態では、データ端末がコンピュータに第1のインターフェースを使用することによって接続された後、データ端末は、第1のUSBインターフェースを使用することによって、コンピュータによって送信されたシステム制御コマンドをさらに受信することができ、またはシステム制御コマンドをコンピュータに第1のUSBインターフェースを使用することによって送信することができる。たとえば、システム制御コマンドは、構成パラメータ交渉コマンドであることができる。
【０１００】
本発明の本実施形態では、データ端末がコンピュータに第1のインターフェースを使用することによって接続された後、第1のインターフェースの第1のUSBインターフェースが初期化され、第1のインターフェースの第1のデジタル音声インターフェースとコンピュータとの間のチャネルの初期状態は、切断状態であり、第1のUSBインターフェースの初期化が完了した後、データ端末は、コンピュータと、第1のUSBインターフェースを使用することによって交渉し、第1のデジタル音声インターフェースの第1の構成パラメータを決定し、第1のデジタル音声インターフェースを第1の構成パラメータに従って構成し、構成が完了した後、第1のデジタル音声インターフェースとコンピュータとの間のチャネルが接続されて、ホットスワップ制御を第1のデジタル音声インターフェースに対して実装する。したがって、第1のデジタル音声インターフェースをデータ端末において使用して、音声データ送信を実装することができる。
【０１０１】
前述の実施形態における方法のステップの全部または一部を、関連するハードウェアを指示するプログラムによって実装することができる、ということを当業者は理解することができる。プログラムは、コンピュータ可読記憶媒体の中に記憶することができる。プログラムを可読記憶媒体において実行することによって、前述の実施形態におけるホットスワップ制御方法が実行される。前述の記憶媒体は、リードオンリメモリ、磁気ディスク、または光ディスクであることができる。
【０１０２】
前述のものは、本発明によって提供されるデータ端末と、データ送信システムと、ホットスワップ制御方法との詳細な説明を提供する。当業者は、本発明の考えに基づいて、特定の実装方法と応用範囲とに関して変更を行うことができる。したがって、本明細書の内容は、本発明に対する限定として解釈されるべきではない。
【符号の説明】
【０１０３】
101  第1のプロセッサ
102  第1のデジタル音声回路
103  インターフェースアイソレータ
104  第1のUSB回路
105  第1の接続装置
106  第1のデジタル音声接続装置
107  第1のUSB接続装置
201  電源管理回路
202  高周波回路
301  データ端末
302  コンピュータ
303  第2のプロセッサ
304  第2のデジタル音声回路
305  第2のUSB回路
306  第2の接続装置
307  第2のデジタル音声接続装置
308  第2のUSB接続装置
401  電源回路
【図１】
2016509712.tif 000003
【図２】
2016509712.tif 000004
【図３】
2016509712.tif 000005
【図４】
2016509712.tif 000006
【図５】
2016509712.tif 000007
【図６】
2016509712.tif 000008
【手続補正書】
【提出日】平成27年8月13日(2015.8.13)
【手続補正１】
【補正対象書類名】特許請求の範囲
【補正対象項目名】全文
【補正方法】変更
【補正の内容】
【特許請求の範囲】
【請求項１】
データ端末であって、
第1のプロセッサと、第1のデジタル音声回路と、インターフェースアイソレータと、第1のユニバーサルシリアルバスUSB回路と、第1の接続装置とを備え、前記第1の接続装置が、第1のデジタル音声接続装置と第1のUSB接続装置とを備え、前記第1のUSB回路がホットスワップ機能を有し、
前記第1のプロセッサが前記第1のデジタル音声回路に接続され、前記第1のプロセッサが前記第1のUSB回路にさらに接続され、前記第1のデジタル音声回路が前記インターフェースアイソレータに接続され、前記インターフェースアイソレータが前記第1のデジタル音声接続装置に接続され、前記第1のUSB回路が前記第1のUSB接続装置に接続され、
前記データ端末が、コンピュータに、前記第1の接続装置を使用することによって接続された後、前記インターフェースアイソレータの初期状態が切断状態であり、前記第1のUSB回路が初期化プロセスに入り、前記第1のプロセッサが、前記第1のUSB回路の初期化が完了した後、前記コンピュータと、前記第1のUSB回路と前記第1のUSB接続装置とを使用することによって交渉し、前記第1のデジタル音声回路の第1の構成パラメータを決定し、前記第1のデジタル音声回路を前記第1の構成パラメータに従って構成するように構成され、
前記第1のデジタル音声回路に関する構成が完了した後、前記インターフェースアイソレータが接続コマンドを受信し、前記切断状態から接続状態に前記接続コマンドに従って切り替わって、前記第1のデジタル音声回路と前記第1のデジタル音声接続装置との間のチャネルが接続されるようにし、音声データ送信が、前記第1のプロセッサと前記コンピュータとの間で、前記第1のデジタル音声回路と前記第1のデジタル音声接続装置とを使用することによって実行されるようにする、データ端末。
【請求項２】
前記第1のデジタル音声接続装置および前記第1のUSB接続装置が、前記第1の接続装置において一体化されている、請求項1に記載のデータ端末。
【請求項３】
前記インターフェースアイソレータが接続コマンドを受信することが、前記インターフェースアイソレータが、前記接続コマンドを前記第1のデジタル音声回路から受信すること、または前記インターフェースアイソレータが、前記接続コマンドを前記第1のプロセッサから受信することである、請求項1または2に記載のデータ端末。
【請求項４】
前記第1のデジタル音声回路が、パルス符号変調PCM回路または音声統合インターフェースIIS回路である、請求項1から3のいずれか一項に記載のデータ端末。
【請求項５】
前記データ端末が電源管理回路をさらに備え、前記電源管理回路が、前記第1のプロセッサと、前記第1のデジタル音声回路と、前記第1のUSB回路と、前記インターフェースアイソレータとに接続され、前記電源管理回路が、電気エネルギーを前記第1のプロセッサと、前記第1のデジタル音声回路と、前記第1のUSB回路と、前記インターフェースアイソレータとのために提供するように構成され、前記電源管理回路が、前記第1の接続装置の前記第1のUSB接続装置にさらに接続されて、前記電源管理回路が、電気エネルギーを前記コンピュータから、前記第1の接続装置が前記コンピュータに接続された後に取得するようにする、請求項1から4のいずれか一項に記載のデータ端末。
【請求項６】
前記データ端末が、高周波信号をワイヤレスネットワークに送信し、あるいは、高周波信号をワイヤレスネットワークから受信するように構成された高周波回路をさらに備え、前記高周波回路が前記第1のプロセッサに接続され、前記高周波回路が前記電源管理回路にさらに接続されている、請求項1から5のいずれか一項に記載のデータ端末。
【請求項７】
前記第1のプロセッサが、前記インターフェースアイソレータが前記切断状態から前記接続状態に切り替わった後、前記第1のデジタル音声接続装置と前記第1のデジタル音声回路とを使用することによって、前記コンピュータによって送信された音声データを受信し、前記音声データを処理してベースバンド信号を取得し、前記ベースバンド信号を前記高周波回路に送信するようにさらに構成され、前記高周波回路が、前記ベースバンド信号を高周波信号に変調し、前記高周波信号を前記ワイヤレスネットワークに送信するように構成され、前記第1のプロセッサが、前記第1のUSB接続装置と前記第1のUSB回路とを使用することによって、前記コンピュータによって送信されたサービスデータを受信し、前記サービスデータを処理してベースバンド信号を取得し、前記ベースバンド信号を前記高周波回路に送信するようにさらに構成され、前記高周波回路が、前記ベースバンド信号を高周波信号に変調し、前記高周波信号を前記ワイヤレスネットワークに送信するようにさらに構成され、
前記高周波回路が、前記ワイヤレスネットワークによって送信された高周波信号を受信し、前記高周波信号をベースバンド信号に変調し、前記ベースバンド信号を前記第1のプロセッサに送信するようにさらに構成され、前記第1のプロセッサが、前記ベースバンド信号を処理して音声データまたはサービスデータを取得し、前記音声データを前記コンピュータに、前記第1のデジタル音声回路と前記第1のデジタル音声接続装置とを使用することによって送信するように、または前記サービスデータを前記コンピュータに、前記第1のUSB回路と前記第1のUSB接続装置とを使用することによって送信するようにさらに構成され、
前記第1のプロセッサが、前記第1のUSB接続装置と前記第1のUSB回路とを使用することによって、前記コンピュータによって送信されたシステム制御コマンドを受信するようにさらに構成されるか、あるいは、システム制御コマンドを前記コンピュータに、前記第1のUSB接続装置と前記第1のUSB回路とを使用することによって送信するように構成されている、請求項1から6のいずれか一項に記載のデータ端末。
【請求項８】
前記インターフェースアイソレータが、前記接続状態から前記切断状態に、前記データ端末が前記コンピュータから切断された後に切り替わる、請求項1から7のいずれか一項に記載のデータ端末。
【請求項９】
データ端末とコンピュータとを備え、
前記データ端末が、第1のプロセッサと、第1のデジタル音声回路と、インターフェースアイソレータと、第1のユニバーサルシリアルバスのUSB回路と、第1の接続装置とを備え、前記第1の接続装置が、第1のデジタル音声接続装置と第1のUSB接続装置とを備え、前記第1のUSB回路がホットスワップ機能を有し、
前記第1のプロセッサが前記第1のデジタル音声回路に接続され、前記第1のプロセッサが前記第1のUSB回路にさらに接続され、前記第1のデジタル音声回路が前記インターフェースアイソレータに接続され、前記インターフェースアイソレータが前記第1のデジタル音声接続装置に接続され、前記第1のUSB回路が前記第1のUSB接続装置に接続され、
前記コンピュータが、第2のプロセッサと、第2のデジタル音声回路と、第2のUSB回路と、第2の接続装置とを備え、前記第2の接続装置が、第2のデジタル音声接続装置と第2のUSB接続装置とを備え、前記第2のUSB回路がホットスワップ機能を有し、
前記第2のプロセッサが前記第2のデジタル音声回路に接続され、前記第2のプロセッサが前記第2のUSB回路にさらに接続され、前記第2のデジタル音声回路が前記第2のデジタル音声接続装置に接続され、前記第2のUSB回路が前記第2のUSB接続装置に接続され、
前記第1の接続装置が前記第2の接続装置に接続するように構成されて、前記データ端末が前記コンピュータに接続されるようにし、前記第1のデジタル音声接続装置が前記第2のデジタル音声接続装置に接続するように構成され、前記第1のUSB接続装置が前記第2のUSB接続装置に接続するように構成され、
前記データ端末が前記コンピュータの前記第2の接続装置に、前記第1の接続装置を使用することによって接続された後、前記インターフェースアイソレータの初期状態が切断状態であり、前記第1のUSB回路および前記第2のUSB回路が初期化プロセスに入り、前記第1のUSB回路と前記第2のUSB回路の初期化が完了した後、前記第1のプロセッサが、前記第2のプロセッサと、前記第1のUSB回路と前記第1のUSB接続装置と前記第2のUSB接続装置と前記第2のUSB回路とを使用することによって交渉し、前記第1のデジタル音声回路の第1の構成パラメータと前記第2のデジタル音声回路の第2の構成パラメータとを決定し、前記第1のプロセッサが、前記第1のデジタル音声回路を前記第1の構成パラメータに従って構成し、前記第2のプロセッサが、前記第2のデジタル音声回路を前記第2の構成パラメータに従って構成し、
前記第1のデジタル音声回路と前記第2のデジタル音声回路とに関する構成が完了した後、前記インターフェースアイソレータが接続コマンドを受信し、前記切断状態から接続状態に前記接続コマンドに従って切り替わって、前記第1のデジタル音声回路と、前記第1のデジタル音声接続装置と、前記第2のデジタル音声接続装置と、前記第2のデジタル音声回路との間のチャネルが接続されるようにし、音声データ送信が、前記第1のプロセッサと前記第2のプロセッサとの間で、前記第1のデジタル音声回路と、前記第1のデジタル音声接続装置と、前記第2のデジタル音声接続装置と、前記第2のデジタル音声回路とを使用することによって実行されるようにする、データ送信システム。
【請求項１０】
前記第1の接続装置が前記第2の接続装置に交換可能な方法で接続され、
前記インターフェースアイソレータが前記接続状態から前記切断状態に、前記第1の接続装置と前記第2の接続装置との間の接続が切断された後に切り替わる、請求項9に記載のデータ送信システム。
【請求項１１】
前記第1のデジタル音声接続装置および前記第1のUSB接続装置が、前記第1の接続装置において一体化され、
前記第2のデジタル音声接続装置および前記第2のUSB接続装置が、前記第2の接続装置において一体化されている、請求項9または10に記載のデータ送信システム。
【請求項１２】
前記インターフェースアイソレータが接続コマンドを受信することが、具体的には、前記インターフェースアイソレータが、前記接続コマンドを前記第1のデジタル音声回路から受信すること、または前記インターフェースアイソレータが、前記接続コマンドを前記第1のプロセッサから受信することである、請求項9から11のいずれか一項に記載のデータ送信システム。
【請求項１３】
前記第1のデジタル音声回路が、パルス符号変調PCM回路または音声統合インターフェースIIS回路であり、前記第2のデジタル音声回路が、PCM回路またはIIS回路である、請求項9から12のいずれか一項に記載のデータ送信システム。
【請求項１４】
前記データ端末が電源管理回路をさらに備え、前記コンピュータが電源回路をさらに備え、
前記電源管理回路が前記第1のプロセッサと、前記第1のデジタル音声回路と、前記インターフェースアイソレータと、前記第1のUSB回路とに接続され、
前記電源管理回路が前記第1のUSB接続装置にさらに接続され、前記電源回路が前記第2のUSB接続装置に接続されて、前記第1のUSB接続装置および前記第2の接続装置が接続された後、前記電源管理回路が、電気エネルギーを前記電源回路から取得し、電気エネルギーを前記第1のプロセッサと、前記第1のデジタル音声回路と、前記インターフェースアイソレータと、前記第1のUSB回路とに提供するように構成されるようにする、請求項9から13のいずれか一項に記載のデータ送信システム。
【請求項１５】
前記データ端末が、高周波信号をワイヤレスネットワークに送信し、あるいは、高周波信号をワイヤレスネットワークから受信するように構成された高周波回路をさらに備え、前記高周波回路が前記第1のプロセッサに接続され、前記高周波回路が前記電源管理回路に接続されている、請求項9から14のいずれか一項に記載のデータ送信システム。
【請求項１６】
前記第1のプロセッサが、前記インターフェースアイソレータが前記切断状態から前記接続状態に切り替わった後、前記第2のプロセッサによって送信された音声データを、前記第2のデジタル音声回路と、前記第2のデジタル音声接続装置と、前記第1のデジタル音声接続装置と、前記第1のデジタル音声回路とを使用することによって受信し、前記音声データを処理してベースバンド信号を取得し、前記ベースバンド信号を前記高周波回路に送信するようにさらに構成され、前記高周波回路が、前記ベースバンド信号を高周波信号に変調し、前記高周波信号を前記ワイヤレスネットワークに送信するように構成され、前記第1のプロセッサが、前記第2のプロセッサによって送信されたサービスデータを、前記第2のUSB接続装置と、前記第2のUSB回路と、前記第1のUSB接続装置と、前記第1のUSB回路とを使用することによって受信し、前記サービスデータを処理してベースバンド信号を取得し、前記ベースバンド信号を前記高周波回路に送信するようにさらに構成され、前記高周波回路が、前記ベースバンド信号を高周波信号に変調し、前記高周波信号を前記ワイヤレスネットワークに送信するようにさらに構成され、
前記高周波回路が、前記ワイヤレスネットワークによって送信された高周波信号を受信し、前記高周波信号をベースバンド信号に変調し、前記ベースバンド信号を前記第1のプロセッサに送信するようにさらに構成され、前記第1のプロセッサが、前記ベースバンド信号を処理して音声データまたはサービスデータを取得し、前記音声データを前記第
2のプロセッサに、前記第1のデジタル音声回路と、前記第1のデジタル音声接続装置と、前記第2のデジタル音声接続装置と、前記第2のデジタル音声回路とを使用することによって送信するように、または前記サービスデータを前記第2のプロセッサに、前記第1のUSB回路と、前記第1のUSB接続装置と、前記第2のUSB接続装置と、前記第2のUSB回路とを使用することによって送信するようにさらに構成され、
前記第1のプロセッサが、前記第2のプロセッサによって送信されたシステム制御コマンドを、前記第2のUSB接続装置と、前記第2のUSB回路と、前記第1のUSB接続装置と、前記第1のUSB回路とを使用することによって受信するようにさらに構成されるか、あるいは、システム制御コマンドを前記第2のプロセッサに、前記第1のUSB回路と、前記第1のUSB接続装置と、前記第2のUSB接続装置と、前記第2のUSB回路とを使用することによって送信するように構成されている、請求項9から15のいずれか一項に記載のデータ送信システム。
【請求項１７】
データ端末に適用され、前記データ端末が第1のインターフェースを備え、前記第1のインターフェースが、第1のデジタル音声インターフェースと第1のUSBインターフェースとを備え、前記第1のUSBインターフェースがホットスワップ機能を有するホットスワップ制御方法であって、
前記データ端末がコンピュータに、前記第1のインターフェースを使用することによって接続された後、前記第1のUSBインターフェースを初期化するステップであって、前記第1のデジタル音声インターフェースと前記コンピュータとの間のチャネルの初期状態が切断状態である、初期化するステップと、
前記第1のUSBインターフェースの初期化が完了した後、前記データ端末によって、前記コンピュータと、前記第1のUSBインターフェースを使用することによって交渉し、前記第1のデジタル音声インターフェースの第1の構成パラメータを決定するステップと、
前記データ端末によって、前記第1のデジタル音声インターフェースを前記第1の構成パラメータに従って構成するステップと、
前記チャネルを、前記第1のデジタル音声インターフェースと前記コンピュータとの間で接続して、音声データ送信が、前記データ端末と前記コンピュータとの間で、前記第1のデジタル音声インターフェースを使用することによって実行されるようにするステップと、
を備える、ホットスワップ制御方法。
【請求項１８】
前記チャネルを前記第1のデジタル音声インターフェースと前記コンピュータとの間で前記接続するステップの後に、
前記データ端末によって、前記第1のデジタル音声インターフェースを使用することによって、前記コンピュータによって送信された音声データを受信するステップ、または前記第1のUSBインターフェースを使用することによって、前記コンピュータによって送信されたサービスデータを受信するステップと、
前記データ端末によって、前記音声データまたは前記サービスデータを処理して高周波信号を取得し、前記高周波信号をワイヤレスネットワークに送信するステップと、
をさらに備える、請求項17に記載の方法。
【請求項１９】
前記チャネルを前記第1のデジタル音声インターフェースと前記コンピュータとの間で前記接続するステップの後に、
前記データ端末によって、前記ワイヤレスネットワークによって送信された高周波信号を受信するステップと、
前記データ端末によって、前記高周波信号を処理して音声データまたはサービスデータを取得するステップと、
前記データ端末によって、前記音声データを前記コンピュータに前記第1のデジタル音声インターフェースを使用することによって送信するステップ、または前記サービスデータを前記コンピュータに前記第1のUSBインターフェースを使用することによって送信するステップと、
をさらに備える、請求項17または18に記載の方法。
【請求項２０】
前記データ端末によって、システム制御コマンドを前記第1のUSBインターフェースを使用することによって受信または送信するステップ、
をさらに備える、請求項17から19のいずれか一項に記載の方法。
【手続補正２】
【補正対象書類名】明細書
【補正対象項目名】００３３
【補正方法】変更
【補正の内容】
【００３３】
データ端末がコンピュータに、第1の接続装置105を使用することによって接続された後、インターフェースアイソレータ103の初期状態は切断状態であり、第1のUSB回路104は初期化プロセスに入り、第1のプロセッサ101は、第1のUSB回路104の初期化が完了した後、コンピュータと、第1のUSB回路104と第1のUSB接続装置107とを使用することによって交渉し、第1のデジタル音声回路102の第1の構成パラメータを決定し、第1のデジタル音声回路102を第1の構成パラメータに従って構成するように構成されている。
【手続補正３】
【補正対象書類名】明細書
【補正対象項目名】００３６
【補正方法】変更
【補正の内容】
【００３６】
任意で、本発明の本実施形態では、インターフェースアイソレータ103が接続コマンドを受信することが、具体的には、インターフェースアイソレータ103が、接続コマンドを第1のデジタル音声回路102から受信すること、またはインターフェースアイソレータ103が、接続コマンドを第1のプロセッサ101から受信することである。
【手続補正４】
【補正対象書類名】明細書
【補正対象項目名】００３７
【補正方法】変更
【補正の内容】
【００３７】
本発明の本実施形態では、第1の接続装置105がコンピュータに接続された後、インターフェースアイソレータ103の初期状態は切断状態であり、第1のデジタル音声回路102はコンピュータから電気的に切断され、第1のUSB回路104は、交換プロセスを開始することになり、第1のUSB回路104の初期化を実装し、第1のUSB回路104が初期化を完了した後、データ端末の第1のプロセッサ101は、コンピュータと、第1のUSB回路104と第1のUSB接続装置107とを使用することによって交渉し、第1のデジタル音声回路102の第1の構成パラメータを決定し、構成パラメータは、通信頻度と、フレーム形式と、動作モードと、同様なものとを含み、第1のプロセッサ101は、第1のデジタル音声回路102を第1の構成パラメータに従って構成する。第1のプロセッサ101が、コンピュータと、第1のUSB回路104と第1のUSB接続装置107とを使用することによって交渉し、第1のデジタル音声回路102の第1の構成パラメータを決定するとき、コンピュータは、また、コンピュータの第2のデジタル音声回路の第2の構成パラメータを決定し、コンピュータの第2のデジタル音声回路を第2の構成パラメータに従って構成し、第1のプロセッサ101が、第1のデジタル音声回路102に関するパラメータ構成を完了させ、コンピュータが、コンピュータ上の第2のデジタル音声回路に関するパラメータ構成を完了させた後、インターフェースアイソレータ103は接続コマンドを受信し、インターフェースアイソレータ103が、切断状態から接続状態に接続コマンドに従って切り替わって、第1のデジタル音声回路102と第1のデジタル音声接続装置106との間でチャネルが接続されるようにし、第1のデジタル音声回路102がホットスワップ機能を有するようにする。
【手続補正５】
【補正対象書類名】明細書
【補正対象項目名】００３８
【補正方法】変更
【補正の内容】
【００３８】
本発明の本実施形態では、第1の接続装置105がコンピュータに接続された後、コンピュータによって送信されるサービスデータまたはシステム制御コマンドが、第1のプロセッサ101に、第1のUSB接続装置107と第1のUSB回路104とを使用することによって送信されて、第1のプロセッサ101が、コンピュータによって送信されたサービスデータまたはシステム制御コマンドを取得できるようにし、または第1のプロセッサ101が、サービスデータまたはシステム制御コマンドをコンピュータに、第1のUSB回路104と第1のUSB接続装置107とを使用することによって送信できるようにし、コンピュータが、データ端末によって送信されたサービスデータまたはシステム制御コマンドを受信できるようにする。
【手続補正６】
【補正対象書類名】明細書
【補正対象項目名】００３９
【補正方法】変更
【補正の内容】
【００３９】
本発明の本実施形態では、インターフェースアイソレータ103が切断状態から接続状態に切り替わった後、音声データ送信が、コンピュータとデータ端末との間でさらに実装され得る。具体的には、コンピュータによって送信される音声データが、第1のプロセッサ101に、第1のデジタル音声接続装置106と第1のデジタル音声回路102とを使用することによって送信されて、第1のプロセッサ101が、コンピュータによって送信された音声データを取得できるようにし、またはデータ端末の第1のプロセッサ101が、音声データをコンピュータに、第1のデジタル音声回路102と第1のデジタル音声接続装置106とを使用することによって送信できるようにし、コンピュータが、データ端末によって送信された音声データを受信できるようにする。
【手続補正７】
【補正対象書類名】明細書
【補正対象項目名】００４７
【補正方法】変更
【補正の内容】
【００４７】
図2を参照すると、図2は、本発明の実施形態によるデータ端末の構造の概略図であって、データ端末は、
図1に示した実施形態において説明した、第1のプロセッサ101と、第1のデジタル音声回路102と、インターフェースアイソレータ103と、第1のUSB回路104と、第1の接続装置105とを含む。第1のプロセッサ101と、第1のデジタル音声回路102と、インターフェースアイソレータ103と、第1のUSB回路104と、第1の接続装置105との内容は、図1に示した実施形態において説明した内容と同様であり、本明細書では詳細を再び説明しない。
【手続補正８】
【補正対象書類名】明細書
【補正対象項目名】００５３
【補正方法】変更
【補正の内容】
【００５３】
本発明の本実施形態では、高周波回路202は、ワイヤレスネットワークによって送信された高周波信号を受信し、高周波信号をベースバンド信号に変調し、ベースバンド信号を第1のプロセッサに送信するようにさらに構成され、第1のプロセッサ101は、ベースバンド信号を処理して音声データまたはサービスデータを取得し、音声データをコンピュータに、第1のデジタル音声回路102と第1のデジタル音声接続装置106とを使用することによって送信するように、またはサービスデータをコンピュータに、第1のUSB回路104と第1のUSB接続装置107とを使用することによって送信するようにさらに構成されている
【手続補正９】
【補正対象書類名】明細書
【補正対象項目名】００５５
【補正方法】変更
【補正の内容】
【００５５】
本発明の本実施形態では、音声データを送信するように構成された第1のデジタル音声回路102、およびホットスワップ制御を第1のデジタル音声回路102に対して実装するように構成されたインターフェースアイソレータ103は、データ端末内に配置され、データ端末の第1の接続装置105がコンピュータに接続された後、データ端末の第1のプロセッサ101が、コンピュータと、第1のUSB回路104と第1のUSB接続装置107とを使用することによって交渉し、第1のデジタル音声回路102の第1の構成パラメータを決定できるようにし、第1のプロセッサ101は、第1のデジタル音声回路101に関する構成を、第1の構成パラメータに従って完了させ、第1のデジタル音声回路102に関する構成が完了した後、インターフェースアイソレータ103が接続コマンドを受信し、インターフェースアイソレータ103が、切断状態から接続状態に接続コマンドに従って切り替わって、第1のデジタル音声回路102と第1のデジタル音声接続装置106との間のチャネルが接続され、第1のデジタル音声回路102がホットスワップ機能を有し、第1のデジタル音声回路102をデータ端末において使用して、音声データを送信できるようにする。
【手続補正１０】
【補正対象書類名】明細書
【補正対象項目名】００５６
【補正方法】変更
【補正の内容】
【００５６】
図3を参照すると、図3は、本発明の一実施形態によるデータ送信システムの構造の概略図であって、データ送信システムは、
データ端末301とコンピュータ302とを含む。
【手続補正１１】
【補正対象書類名】明細書
【補正対象項目名】００５８
【補正方法】変更
【補正の内容】
【００５８】
第1のプロセッサ101は第1のデジタル音声回路102に接続され、第1のプロセッサ101は第1のUSB回路104にさらに接続され、第1のデジタル音声回路102はインターフェースアイソレータ103に接続され、第1のデジタル音声接続装置106はインターフェースアイソレータ103に接続され、第1のUSB接続装置107は第1のUSB回路104に接続されている。
【手続補正１２】
【補正対象書類名】明細書
【補正対象項目名】００５９
【補正方法】変更
【補正の内容】
【００５９】
コンピュータ302は、第2のプロセッサ303と、第2のデジタル音声回路304と、第2のUSB回路305と、第2の接続装置306とを含み、第2の接続装置306は、第2のデジタル音声接続装置307と第2のUSB接続装置308とを含み、第2のUSB回路305は、ホットスワップ機能を有する。
【手続補正１３】
【補正対象書類名】明細書
【補正対象項目名】００６０
【補正方法】変更
【補正の内容】
【００６０】
第2のプロセッサ303は第2のデジタル音声回路304に接続され、第2のプロセッサ303は第2のUSB回路305にさらに接続され、第2のデジタル音声接続装置307は第2のデジタル音声回路304に接続され、第2のUSB接続装置308は、第2のUSB回路305に接続されている。
【手続補正１４】
【補正対象書類名】明細書
【補正対象項目名】００６１
【補正方法】変更
【補正の内容】
【００６１】
第1の接続装置105は第2の接続装置306に接続するように構成され、データ端末301がコンピュータ302に接続されるようにし、第1のデジタル音声接続装置106は第2のデジタル音声接続装置307に接続するように構成され、第1のUSB接続装置107は第2のUSB装置308に接続するように構成されている。
【手続補正１５】
【補正対象書類名】明細書
【補正対象項目名】００６２
【補正方法】変更
【補正の内容】
【００６２】
本発明の本実施形態では、データ端末301がコンピュータ32の第2の接続装置306に第1の接続装置105を使用することによって接続された後、インターフェースアイソレータ103の初期状態は切断状態であり、第1のUSB回路104および第2のUSB回路305は初期化プロセスに入り、第1のプロセッサ101は、第1のUSB回路104と第2のUSB回路305との初期化が完了した後、第2のプロセッサ303と、第1のUSB回路104と第1のUSB接続装置107と第2のUSB接続装置308と第2のUSB回路305とを使用して交渉し、第1のデジタル音声回路102の第1の構成パラメータと第2のデジタル音声回路304の第2の構成パラメータとを決定するように構成され、第1の構成パラメータおよび第2の構成パラメータは、通信頻度と、フレーム形式と、動作モードと、同様なものとを含み、第1のプロセッサ101は、第1のデジタル音声回路102を第1の構成パラメータに従って構成し、第2のプロセッサ303は、第2のデジタル音声回路304を第2の構成パラメータに従って構成し、第1のデジタル音声回路102と第2のデジタル音声回路304とに関する構成が完了した後、インターフェースアイソレータ103は、接続コマンドを受信し、切断状態から接続状態に接続コマンドに従って切り替わって、第1のデジタル音声回路102と、第1のデジタル音声接続装置106と、第2のデジタル音声接続装置307と、第2のデジタル音声回路304との間のチャネルが接続されるようにし、音声データ送信が、第1のプロセッサ101と第2のプロセッサ303との間で、第1のデジタル音声回路102と、第1のデジタル音声接続装置106と、第2のデジタル音声接続装置307と、第2のデジタル音声回路304とを使用することによって実行され得るようにする。
【手続補正１６】
【補正対象書類名】明細書
【補正対象項目名】００６５
【補正方法】変更
【補正の内容】
【００６５】
任意で、本発明の本実施形態では、インターフェースアイソレータ103が接続コマンドを受信することは、具体的には、インターフェースアイソレータ103が、接続コマンドを第1のデジタル音声回路102から受信すること、またはインターフェースアイソレータ103が、接続コマンドを第1のプロセッサ101から受信することである。
【手続補正１７】
【補正対象書類名】明細書
【補正対象項目名】００６６
【補正方法】変更
【補正の内容】
【００６６】
任意で、本発明の本実施形態では、第1のデジタル音声回路102は、PCM回路またはIIS回路であることができ、第2のデジタル音声回路304は、PCM回路またはIIS回路であることができる。
【手続補正１８】
【補正対象書類名】明細書
【補正対象項目名】００７０
【補正方法】変更
【補正の内容】
【００７０】
本発明の本実施形態では、インターフェースアイソレータ103の切断状態は、インターフェースアイソレータ103のピンが高インピーダンス状態にあるということを指し、または、インターフェースアイソレータ103がコンピュータ32に接続されている側にあるピンが入力状態にあり、ピンが、接続された信号ケーブルのレベルの変化に影響を与えないとき、インターフェースアイソレータ103がある状態は、また、切断状態である。インターフェースアイソレータ103の接続状態は、データ送信が通常に実行され得る別の状態を指すが、切断状態を除く。
【手続補正１９】
【補正対象書類名】明細書
【補正対象項目名】００７３
【補正方法】変更
【補正の内容】
【００７３】
第1の接続装置105、第2の接続装置306、第1のデジタル音声接続装置106、第1のUSB接続装置107、第2のデジタル音声接続装置307、および第2のUSB接続装置308、および本発明の本実施形態において述べた同様のものは、接続溝、コネクタ、ソケット、または同様なものであることができ、それらには回路ピンが含まれ得る。
【手続補正２０】
【補正対象書類名】明細書
【補正対象項目名】００７４
【補正方法】変更
【補正の内容】
【００７４】
図4を参照すると、図4は、本発明の一実施形態によるデータ送信システムの概略図であって、データ送信システムは、
図3で示した実施形態において説明した、データ端末301とコンピュータ302とを含む。データ端末301とコンピュータ302との内容は、図3で示した実施形態において説明した内容と同様であり、本明細書では詳細を再び説明しない。
【手続補正２１】
【補正対象書類名】明細書
【補正対象項目名】００７５
【補正方法】変更
【補正の内容】
【００７５】
本発明の本実施形態では、データ端末301は電源管理回路201をさらに含むことができ、コンピュータ302は電源回路401をさらに含むことができ、電源管理回路201は、第1のプロセッサ101と、第1のデジタル音声回路102と、インターフェースアイソレータ103と、第1のUSB回路104とに接続され、電源回路401は第2のUSB接続装置308に接続されている。
【手続補正２２】
【補正対象書類名】明細書
【補正対象項目名】００７６
【補正方法】変更
【補正の内容】
【００７６】
電源管理回路201は第1の接続装置105にさらに接続され、第1の接続装置105が第2の接続装置306に接続された後、電源管理回路201が、電気エネルギーを電源回路401から取得し、電気エネルギーを、第1のプロセッサ101と、第1のデジタル音声回路102と、インターフェースアイソレータ103と、第1のUSB回路104とに提供するように構成されるようにする。
【手続補正２３】
【補正対象書類名】明細書
【補正対象項目名】００７７
【補正方法】変更
【補正の内容】
【００７７】
本発明の本実施形態では、データ端末301は、高周波信号をワイヤレスネットワークに送信し、あるいは、高周波信号をワイヤレスネットワークから受信するように構成された高周波回路202をさらに含み、高周波回路202は第1のプロセッサ101と電源管理回路201とに接続され、電源管理回路201は電気エネルギーを高周波回路202のために提供する。
【手続補正２４】
【補正対象書類名】明細書
【補正対象項目名】００８３
【補正方法】変更
【補正の内容】
【００８３】
本発明の本実施形態では、音声データ送信は、コンピュータ302の第2のプロセッサ303とデータ端末301の第1のプロセッサ101との間で実行することができる。コンピュータ302の第2のプロセッサ303によって第1のプロセッサ101に送信された音声データは、コンピュータ302の、マイクなどの音声デバイスによる収集という手段によって取得されたデータであることができる。データを収集した後、第2のプロセッサ303は、エコー除去、環境ノイズ除去、録音、または音声認識などの処理をデータに対して実行し、処理の後に取得された音声データを第1のプロセッサ101に、第2のデジタル音声回路304と、第2のデジタル音声接続装置307と、第1のデジタル音声接続装置106と、第1のデジタル音声回路102とを使用することによって送信する。音声データを受信した後、第1のプロセッサ101は、暗号化、符号化、フレーミング、カプセル化、および変換などの処理を音声データに対して実行してベースバンド信号を取得し、ベースバンド信号を高周波回路202に送信し、高周波回路202は、ベースバンド信号を高周波信号に変調し、高周波信号をワイヤレスネットワークに送信する。高周波回路202が音声データを含む高周波信号を受信した場合、高周波回路202は、高周波信号をベースバンド信号に変調し、ベースバンド信号を第1のプロセッサ101に送信し、第1のプロセッサ101は、ベースバンド信号を処理して音声データを取得し、第1のプロセッサ101は、音声データを第2のプロセッサ303に、第1のデジタル音声回路102と、第1のデジタル音声接続装置106と、第2のデジタル音声接続装置307と、第2のデジタル音声回路304とを使用することによって送信する。第2のプロセッサ303は、音声データを処理し、コンピュータ302の音声デバイスを使用することによって、処理後の音声データを放送することができ、ユーザが音声を聞くことができるようにする。
【手続補正２５】
【補正対象書類名】明細書
【補正対象項目名】００８５
【補正方法】変更
【補正の内容】
【００８５】
本発明の本実施形態における第1の接続装置のより良い理解のために、第1のデジタル音声回路102がPCM回路である一実施例において、第1の接続装置の実体の構造図を説明し、図5を参照する。第1の接続装置のピンは、PCM_SYNCと、PCM_CLKと、PCM_DOと、PCM_DIと、USB_D+と、USB_D-と、VCCと、GNDとを含み、ピンPCM_SYNC、ピンPCM_CLK、ピンPCM_DO、およびピンPCM_DIは、第1のデジタル音声回路102に接続されるピンであり、ピンUSB_D+およびピンUSB_D-は、第1のUSB回路104に接続されるピンであり、ピンVCCおよびピンGNDは、電源管理回路201に接続されるピンである。
【手続補正２６】
【補正対象書類名】明細書
【補正対象項目名】００８６
【補正方法】変更
【補正の内容】
【００８６】
図6を参照すると、図6は、本発明の一実施形態によるデータ端末のホットスワップ制御方法の概要図である。本発明の本実施形態では、データ端末は第1のインターフェースを含み、第1のインターフェースは、第1のデジタル音声インターフェースと第1のUSBインターフェースとを含み、第1のUSBインターフェースはホットスワップ機能を有する。データ端末のホットスワップ制御方法は、以下を含む。
【国際調査報告】
2016509712.tif 000009
2016509712.tif 000010
2016509712.tif 000011
2016509712.tif 000012